(57)【要約】ヘッドスペースガスをライナベースのアセンブリから除去する方法。ライナベースのアセンブリは、概して、オーバーパックと、オーバーパック内に位置決めされ、材料およびヘッドスペースガスを含むライナと、ライナを密閉するための閉鎖具とを含み得る。本方法は、ライナの内部と流体連絡し、ライナの内部から出る方向の流動を可能にする一方向弁を提供することと、真空を一方向弁に印加することにより、ヘッドスペースガスをライナの内部から排出することとを含み得る。いくつかの実施形態では、ライナベースのアセンブリはまた、オーバーパックとライナとの間の環状空間と流体連絡しているポートを含んでもよく、本方法は、例えば、一方向弁への真空の印加の間、ポートにキャップをすることを含んでもよい。
2015501766.tif 000002
【特許請求の範囲】
【請求項１】
ヘッドスペースガスをライナベースのアセンブリから除去する方法であって、前記ライナベースのアセンブリは、オーバーパックと、前記オーバーパック内に位置決めされ、材料およびヘッドスペースガスを含むライナと、前記ライナを密閉するための閉鎖具とを備え、前記方法は、
前記ライナの内部と流体連絡している一方向弁を提供し、前記ライナの内部から出る方向の流動を可能にすることと、
前記一方向弁に真空を印加することにより、ヘッドスペースガスを前記ライナの内部から排出することと
を含む、方法。
【請求項２】
前記ライナベースのアセンブリは、前記オーバーパックとライナとの間の環状空間と流体連絡しているポートをさらに含み、前記方法は、前記ポートにキャップをすることをさらに含む、請求項１に記載の方法。
【請求項３】
ヘッドスペースガス除去のために構成されたライナベースのアセンブリであって、前記ライナベースのアセンブリは、
オーバーパックと、
前記オーバーパック内に位置決めされたライナと、
前記ライナを密閉するために、前記ライナと取り外し可能に結合するように構成された閉鎖具と、
前記ライナの内部と流体連絡し、前記ライナの内部から出る方向の流動を可能にする一方向弁と
を備える、ライナベースのアセンブリ。
【請求項４】
前記一方向弁は、前記閉鎖具に結合されている、請求項３に記載のライナベースのアセンブリ。
【請求項５】
前記オーバーパックとライナとの間の環状空間と流体連絡しているポートをさらに備える、請求項４に記載のライナベースのアセンブリ。
【請求項６】
前記ポートは、ヘッドスペースガス除去のために、一時的にキャップをされる、請求項５に記載のライナベースのアセンブリ。
【請求項７】
コンテナアセンブリを充填する方法であって、前記方法は、
材料を所定の温度に加熱し、前記所定の温度において、前記コンテナを前記材料で充填することと、
前記コンテナを密閉することと、
前記コンテナを密閉した後、前記コンテナ内の材料を冷却させることと
を含む、方法。
【請求項８】
前記所定の温度は、約４０〜６０℃である、請求項７に記載の方法。
【請求項９】
前記材料は、概して、前記コンテナが位置する部屋の周囲温度まで冷却される、請求項８に記載の方法。
【請求項１０】
実質的に、いかなる余剰空間もヘッドスペースガスのために提供されないように、実質的に上部まで、前記コンテナを前記材料で充填することをさらに含む、請求項７に記載の方法。
【請求項１１】
前記コンテナを密閉した後、ヘッドスペースガスを除去することをさらに含む、請求項７に記載の方法。
【請求項１２】
圧力分配と併用するためのライナベースのアセンブリであって、前記ライナベースのアセンブリは、
オーバーパックと、
前記オーバーパック内に配置されたライナと、
前記オーバーパックおよび前記ライナのうちの少なくとも１つに固定可能な閉鎖具アセンブリであって、前記閉鎖具アセンブリは、ヘッドスペース通気口およびリザーバを含み、前記リザーバは、前記ライナの内部内に貯蔵された材料の溢流を集めるように構成されている、閉鎖具アセンブリと
を備え、前記閉鎖具アセンブリは、前記リザーバ内の材料の溢流を硬化させることによって、前記ライナにシールを形成するように構成されている、ライナベースのアセンブリ。
【請求項１３】
前記材料は、接着剤である、請求項１２に記載のライナベースのアセンブリ。
【請求項１４】
前記リザーバを取り外し可能に密閉するように構成されたキャップをさらに備える、請求項１３に記載のライナベースのアセンブリ。
【請求項１５】
コンテナを充填および密閉する方法であって、前記方法は、
前記コンテナを接着剤で充填することと、
閉鎖具アセンブリを前記コンテナに動作可能に結合することであって、前記閉鎖具アセンブリは、前記接着剤の溢流を集めるように構成されているリザーバを備える、ことと、
前記コンテナ内の接着剤の一部を前記閉鎖具アセンブリのリザーバ内に流動可能にすること、または流動させることのうちの少なくとも１つを行なうことと、
前記リザーバ内の接着剤の溢流を硬化させることにより、前記コンテナのためのシールを形成することと
を含む、方法。
【請求項１６】
前記閉鎖具アセンブリにキャップをすることにより、前記リザーバを取り外し可能に密閉することをさらに含む、請求項１５に記載の方法。
【請求項１７】
圧力分配と併用するためのライナベースのアセンブリであって、前記ライナベースのアセンブリは、
オーバーパックと、
前記オーバーパック内に配置されたライナと、
前記オーバーパックおよび前記ライナのうちの少なくとも１つに固定可能なキャップアセンブリであって、前記キャップアセンブリは、閉鎖具と、プラグ部材とを備え、前記閉鎖具は、分配コネクタに着脱可能に結合し、さらに、前記プラグ部材に着脱可能に結合するように構成された口部を含み、前記プラグは、前記閉鎖具の口部を実質的に完全に充填するように構成されている、キャップアセンブリと
を備える、ライナベースのアセンブリ。
【請求項１８】
前記ライナは、可食食品物質を含み、前記分配コネクタは、食品物質を分配するように構成されている、請求項１７に記載のライナベースのアセンブリ。
【請求項１９】
ライナベースのアセンブリの内容物を分配する方法であって、前記方法は、
中に所望の物質が貯蔵されたライナを提供することであって、前記ライナは、オーバーパック内に配置され、ライナ首部を備え、シールが前記ライナ首部に固定される、ことと、
前記分配コネクタ上のプローブが、最初は、前記ライナ首部におけるシールに隣接するが、前記シールを穿刺せずに位置決めされるが、前記物質が圧力分配によって分配される場合に、前記シールが、前記プローブにぶつかって上向きに湾曲し、前記プローブが、前記シールを穿刺することにより、前記物質の分配を可能にするよう位置決めされるように、分配コネクタを前記ライナ首部に固定することと
を含む、方法。
【請求項２０】
前記物質は、間接圧力分配によって分配され、圧力は、前記ライナとオーバーパックとの間の環状空間に印加される、請求項１９に記載の方法。
【発明の詳細な説明】
【技術分野】
【０００１】
（発明の分野）
本開示は、新規かつ有利な移送および分配システムに関する。特に、本開示は、ライナベースのシステムのための新規かつ有利な閉鎖具／コネクタシステムに関し、より具体的には、有利なことに、既存の分配システムとの適合性のために構成されることを含み得る特定の産業で使用するために調整され得る閉鎖具／コネクタシステムに関する。本開示はまた、ライナの内容物の熱膨張と関連付けられた損傷、漏出、または汚染の可能性を最小限にするようにライナベースのアセンブリを充填する、新規かつ有利な方法に関する。
【背景技術】
【０００２】
（発明の背景）
コンテナシステムは、材料を貯蔵、移送および／または分配するために、多くの産業において使用され得る。例えば、コンテナシステムは、任意の粘度の液体ベースの内容物を含むために使用され得る。典型的には、移送および分配システムは、何らかの種類のコンテナおよび／またはライナと、内容物が分配されていないとき、貯蔵システムの内容物を密閉および保護するために使用され得るキャップと、内容物をコンテナから分配するために使用され得るコネクタとを含む。いくつかの産業では、１つ以上の主たる分配システムが存在し得るが、コンテナシステムがエンドユーザの既存の分配システムと適合性があるようにするために、そのコンテナは、適合性のあるように定寸および成形された特徴を有していなければならない。しかしながら、そのような分配システムと適合性があり得るような従来の貯蔵および分配コンテナシステムは、１つ以上の不利点を有し得る。例えば、従来の貯蔵および分配コンテナシステムは、コンテナの内容物の純度を確保および／または維持しない場合があり、貯蔵および／または移送空間を効率的に使用しない場合があり、したがって、不必要なコストをもたらし得、かつ／または、例えば、満足のゆく分配率を有していない場合がある。
【０００３】
しかしながら、分配システムの購入および／または設置は、実質的なコスト、いくつかの場合には、潜在的に、法外なコストとなり得るため、エンドユーザは、１つ以上の点においてより有利である他のコンテナシステムが存在しても、既存の分配システムと適合性があるコンテナシステムを使用せざるを得ない場合がある。故に、また、種々の既存の産業において使用される既存の分配システムと適合性があり得る、１つ以上の点において従来の貯蔵および分配システムより優れている貯蔵および分配システムの必要性が存在する。
【０００４】
加えて、そのようなコンテナシステムを利用する多くの材料顧客は、ヘッドスペースガスを伴わず、または実質的に伴わず、その材料をエンドユーザに移送する能力を所望する。現在、ヘッドスペースガスならびに貯蔵された材料内に捕捉される何らかのガスを除去するために、エンドユーザによって使用されている複雑な工程が存在する。ヘッドスペースガスを伴わず、または実質的に伴わず、パッケージ化された材料を移送することは、そのような複雑なエンドユーザ工程の必要性を排除し、エンドユーザが、その製品をコンテナシステムからその最終利用工程に直接もたらすことを可能にする。
【０００５】
さらに、コンテナシステム内に所望通りに貯蔵され得る多くの物質は、温度変化によって影響を受け得る。例えば、いくつかの物質は、温度上昇を被ると、膨張する傾向にあり得、かつ／または温度低下を被ると、収縮する傾向にあり得る。いくつかの場合には、ライナ内に含まれる物質の熱膨張は、かなりの有意な量の応力をコンテナの壁にかけ得、いくつかの場合には、コンテナの壁の損傷をもたらし、コンテナの内容部の汚染および／または漏出につながり得る。いくつかの場合には、コンテナの内容物は、高価または非常に高価でさえあり得、汚染および／または漏出による内容物の損失は、少なくとも、有意な悪影響を及ぼし得る。例えば、いくつかの高度な技術産業において使用するためのいくつかの材料は、非常に高価であり、かつ、材料が実質的に汚染されていないときのみ使用可能であり得る。したがって、例えば、コンテナ壁内の漏出または亀裂によって生じるいかなる汚染も、非常に高価な材料のコンテナ全体を使用不可能にし得る。この目的を達成するために、温度が上昇するときに物質が膨張する傾向を考慮し得るコンテナを充填する方法に対するさらなる必要性が存在する。また、材料を最も費用効果的に移送および／または貯蔵するために、実質的に全体として、コンテナを物質で充填する必要性が存在する。
【発明の概要】
【課題を解決するための手段】
【０００６】
（発明の概要）
本開示は、一実施形態では、ヘッドスペースガスをライナベースのアセンブリから除去する方法に関する。ライナベースのアセンブリは、概して、オーバーパックと、オーバーパック内に位置決めされ、材料およびヘッドスペースガスを含むライナと、ライナを密閉するための閉鎖具とを含んでもよい。本方法は、ライナの内部と流体連絡し、ライナの内部から出る方向における流動を可能にする一方向弁を提供することと、真空を一方向弁に印加し、ヘッドスペースガスをライナの内部から排出することとを含んでもよい。いくつかの実施形態では、ライナベースのアセンブリはまた、オーバーパックとライナとの間の環状空間と流体連絡するポートを含んでもよく、本方法は、例えば、一方向弁への真空の印加の間、ポートにキャップをすることを含んでもよい。
【０００７】
本開示は、別の実施形態では、ヘッドスペースガス除去のために構成されたライナベースのアセンブリに関する。ライナベースのアセンブリは、オーバーパックと、オーバーパック内に位置決めされたライナと、ライナを密閉するために、ライナに取り外し可能に結合するように構成された閉鎖具と、ライナの内部と流体連絡し、ライナの内部から出る方向における流動を可能にする一方向弁とを含んでもよい。いくつかの実施形態では、一方向弁は、閉鎖具と結合される一方、他の実施形態では、一方向弁は、閉鎖具と一体型であってもよい。ライナベースのアセンブリはまた、ライナベースのアセンブリが、例えば、間接圧力分配のために構成されるように、オーバーパックとライナとの間の環状空間と流体連絡するポートを含んでもよい。ポートは、ヘッドスペースガス除去のために、一時的にキャップをされてもよい。
【０００８】
本開示は、さらなる実施形態では、コンテナアセンブリを充填する方法に関する。本方法は、材料を所定の温度まで加熱し、所定の温度において、コンテナを材料で充填することと、コンテナを密閉することと、コンテナを密閉した後、コンテナ内の材料を冷却させることとを含んでもよい。一実施形態では、材料は、約４０〜６０℃まで加熱されてもよい。同様に、材料は、概して、コンテナが位置する部屋の周囲室温まで冷却されてもよい。本方法は、実質的に、いかなる余剰空間もヘッドスペースガスのために提供されないように、実質的に上部まで、コンテナを材料で充填することを含んでもよい。他の実施形態では、コンテナを密閉した後、ヘッドスペースガスは、除去されてもよい。
【０００９】
本開示は、なおも別の実施形態では、圧力分配と併用するためのライナベースのアセンブリに関する。ライナベースのアセンブリは、オーバーパックと、オーバーパック内に配置されたライナと、オーバーパックおよび／またはライナに固定可能な閉鎖具アセンブリとを含んでもよい。閉鎖具アセンブリは、ヘッドスペース通気口と、ライナの内部内に貯蔵された材料の溢流を集めるように構成されたリザーバとを含んでもよい。閉鎖具アセンブリは、概して、リザーバ内の材料の溢流を硬化させることによって、ライナとシールを形成するように構成されてもよい。特定の実施形態では、ライナベースのアセンブリ内に貯蔵された材料は、接着剤である。付加的実施形態では、ライナベースのアセンブリはまた、リザーバを取り外し可能に密閉するように構成されたキャップを含んでもよい。
【００１０】
本開示は、さらに別の実施形態では、コンテナを充填および密閉する方法に関する。本方法は、コンテナを接着剤で充填することと、閉鎖具アセンブリをコンテナに動作可能に結合することであって、閉鎖具アセンブリは、接着剤の溢流を集めるように構成されたリザーバを有する、ことと、コンテナ内の接着剤の一部を閉鎖具アセンブリのリザーバ内に流動可能にし、または流動させることと、リザーバ内の接着剤の溢流を硬化させることにより、コンテナのためのシールを形成することとを含んでもよい。本方法はさらに、閉鎖具アセンブリにキャップをすることにより、リザーバを取り外し可能に密閉することを含んでもよい。
【００１１】
本開示は、別の実施形態では、圧力分配と併用するためのライナベースのアセンブリに関する。ライナベースのアセンブリは、オーバーパックと、オーバーパック内に配置されたライナと、オーバーパックおよび／またはライナに固定可能なキャップアセンブリであって、キャップアセンブリは、閉鎖具とプラグ部材とを含み、閉鎖具は、分配コネクタに着脱可能に結合し、さらに、プラグ部材に着脱可能に結合するように構成された口部を含み、プラグは、閉鎖具の口部を実質的に完全に充填するように構成されている、キャップアセンブリとを含んでもよい。特定の実施形態では、ライナベースのアセンブリは、食品産業において、その産業の既存の分配コネクタと併用するために構成され、この点において、ライナは、可食食品物質を含み得、分配コネクタは、食品物質を分配するために構成されてもよい。
【００１２】
本開示は、なおもさらなる実施形態では、ライナベースのアセンブリの内容物を分配する方法に関する。本方法は、中に所望の物質が貯蔵されたライナを提供することであって、ライナは、オーバーパック内に配置され、ライナ首部を備え、そこにシールが固定される、ことと、分配コネクタ上のプローブが、最初は、ライナ首部内のシールに隣接しするが、シールを穿刺せずに位置決めされるが、物質が圧力分配によって分配される場合に、シールが、プローブにぶつかって上向きに湾曲し、プローブが、シールを穿刺することにより、物質の分配を可能にするよう位置決めされるように、分配コネクタをライナ首部に固定することとを含んでもよい。いくつかの実施形態では、物質は、間接圧力分配によって分配されてもよく、圧力は、ライナとオーバーパックとの間の環状空間に印加される。
【００１３】
複数の実施形態が開示されるが、本開示の例証的実施形態を示して説明する以下の詳細な説明から、本開示のさらに他の実施形態が、当業者に明白となる。認識されるように、本開示の種々の実施形態は、全て本開示の精神および範囲から逸脱することなく、種々の明確な側面で修正が可能である。したがって、図面および詳細な説明は、本質的に制限的ではなく例証的と見なされるものである。
【００１４】
本明細書は、本開示の種々の実施形態を形成するとみなされる主題を具体的に指摘し、かつ明確に請求する、特許請求の範囲で完結するが、本開示は、添付図面と併せて解釈される以下の説明から、より理解されると考えられる。
【図面の簡単な説明】
【００１５】
【図１】図１Ａは、本開示の一実施形態による、移送および分配システムの断面図である。
【図１Ｂ】図１Ｂは、本開示の別の実施形態による、閉鎖具／コネクタアセンブリを含む移送および分配システムの分解図である。
【図２】図２は、本開示の一実施形態による、閉鎖具／コネクタアセンブリを含む移送および分配システムの分解図である。
【図３Ａ】図３Ａは、本開示の一実施形態による、閉鎖具／コネクタアセンブリが移送および分配システムに結合されている、図２の移送および分配システムの断面図である。
【図３Ｂ】図３Ｂは、一実施形態による、本開示のライナベースのシステムの断面図である。
【図３Ｃ】図３Ｃは、ライナが圧縮されている、一実施形態による、本開示のライナベースのシステムの断面図である。
【図３Ｄ】図３Ｄは、本開示の一実施形態による、コネクタおよびシールの斜視図である。
【図３Ｅ】図３Ｅは、本開示の一実施形態による、ライナベースのシステムの破断図である。
【図４】図４は、本開示の別の実施形態による、移送および分配システムに結合された閉鎖具／コネクタアセンブリの断面図である。
【図５】図５は、本開示の別の実施形態による、移送および分配システムと併用するための分配コネクタの斜視図である。
【図６】図６は、本開示の一実施形態による、間接圧力分配と併用するための移送および貯蔵システムを示す。
【図７】図７は、本開示の一実施形態による、グラフ形態で提供された、図６に示される間接圧力分配方法に関連する統計を示す。
【図８】図８は、本開示の一実施形態による、パッケージング要素を含む移送および分配システムの断面図である。
【図９】図９は、本開示の一実施形態による、ライナベースのアセンブリを充填する方法の流れ図である。
【図１０】図１０は、本開示の一実施形態による、ヘッドスペース除去のための一方向弁を有する、ライナベースの移送および分配システムの斜視図である。
【発明を実施するための形態】
【００１６】
（詳細な説明）
本開示は、新規かつ有利な移送および分配システムに関する。より具体的には、本開示の一側面は、ライナベースの移送および分配システムのための新規かつ有利な閉鎖具／コネクタシステムに関する。別の側面では、本開示は、物質の熱膨張から生じるライナおよび／またはライナの内容物に損傷を生じさせるリスクが低減されるように、ライナベースのアセンブリを所望の物質で充填するための新規かつ有利な方法に関する。いくつかの実施形態では、本明細書に開示される、ライナベースの移送および分配システムおよび／またはライナベースの移送および分配システムのための閉鎖具およびコネクタは、食品産業における特定の使用のために、または貯蔵された材料が接着剤（エポキシ、接着性エポキシ、エポキシおよびポリウレタン着色顔料、ポリウレタン注型樹脂、ＵＶ光および／または湿気硬化性シリコーン系接着剤、ＵＶ光および／または熱硬化性アクリル系接着剤、シアノアクリレートおよび嫌気性接着剤、反応性合成接着剤（担体または溶媒の蒸発によってではなく、主に、化学反応によって硬化する、レゾルシノール、ポリウレタン、エポキシ、および／またはシアノアクリレートを含むが、これらに限定されない）を含むが、これらに限定されない）である場合の使用のために、構成されてもよい。しかしながら、本明細書に開示される、ライナベースの移送および分配システムおよび／またはライナベースの移送および分配システムのための閉鎖具およびコネクタはまた、種々の他の用途のために使用されてもよいことを理解されたい。また、本開示の実施形態とも併用され得る、材料のタイプのいくつかの実施例として、超高純度液体（例えば、酸、溶媒、塩基、フォトレジスト、スラリー、洗剤、洗浄配合物、ドーパント、無機物、有機物、有機金属、ＴＥＯＳ、および生物学的溶剤）、ＤＮＡおよびＲＮＡ溶媒ならびに試薬、薬剤、印刷可能電子機器用無機材料および有機材料、リチウムイオンまたは他のバッテリタイプ電解質、ナノ材料（例えば、フラーレン、無機ナノ粒子、ゾルゲル、および他のセラミックを含む）、および放射線化学物質；殺虫剤／肥料、塗料／グロス／溶剤／被覆材料等；自動洗浄液、例えば、自動車産業または航空産業で使用するための潤滑剤、食品製品（例えば、限定されないが、調味料、調理油、および清涼飲料）；生物医学産業または研究産業で使用するための試薬または他の材料；例えば、軍隊によって使用される危険物；ポリウレタン；農薬；産業用化学薬品；化粧薬品；石油および潤滑剤；封止剤；健康および口腔衛生製品ならびに洗面用製品；あるいは、例えば、圧力分配によって分配され得る任意の他の材料が挙げられるが、それらに限定されない。本開示の実施形態と併用され得る材料は、高粘度流体および低粘度流体を含む任意の粘度を有してもよい。当業者は、開示される実施形態の利点を認識し、したがって、種々の産業ならびに種々の製品の輸送および分配のための開示される実施形態の好適性を認識する。
【００１７】
本開示のライナベースのシステムは、いくつかの実施形態では、最大約２００リットルを保持してもよい。代替として、ライナベースのシステムは、最大約２０リットルを保持してもよい。代替として、ライナベースのシステムは、約１〜５リットル以下を保持してもよい。参照されるコンテナサイズは、実施例にすぎず、本開示のライナベースのシステムは、種々のサイズおよび形状の移送および分配コンテナと併用するために容易に適合され得ることが理解される。本開示のライナベースのシステム全体は、いくつかの実施形態では、１回だけ使用され、その後、廃棄されてもよい。他の実施形態では、例えば、オーバーパックは、再使用されてもよい一方、ライナおよび／または任意の閉鎖具あるいはコネクタは、１回のみ使用されてもよい。さらに他の実施形態では、閉鎖具および／またはコネクタのいくつかの部分は、１回の使用のために構成されてもよい一方、閉鎖具および／またはコネクタの他の部分は、繰り返し使用するために構成されてもよい。
【００１８】
図１Ａは、本開示のライナベースの移送および分配システム１００の一実施形態を図示する。いくつかの実施形態では、移送および分配システム１００は、オーバーパック１０２と、ライナ１０４と、本明細書において閉鎖具／コネクタアセンブリ１２２と称され得る、１つ以上の閉鎖具および／またはコネクタとを含んでもよい。閉鎖具／コネクタアセンブリは、いくつかの実施形態では、以下にさらに詳細に説明されるように、充填コネクタおよび／または分配コネクタおよび／または閉鎖具あるいはキャップを備えてもよい。
【００１９】
オーバーパック１０２は、オーバーパック壁１０６と、内部空洞１０８と、口部１１０とを含んでもよい。オーバーパック１０２は、任意の好適な材料または材料の組み合わせ（例えば、プラスチック、ナイロン、ＥＶＯＨ、ポリオレフィン、あるいは他の天然または合成ポリマーを含む１つ以上のポリマーであるが、それらに限定されない）から成ってもよい。さらなる実施形態では、オーバーパック１０２は、ポリエチレンテレフタレート（ＰＥＴ）、ポリエチレンナフタレート（ＰＥＮ）、ポリ（ブチレン２，６−ナフタレート）（ＰＢＮ）、ポリエチレン（ＰＥ）、直鎖状低密度ポリエチレン（ＬＬＤＰＥ）、低密度ポリエチレン（ＬＤＰＥ）、中密度ポリエチレン（ＭＤＰＥ）、高密度ポリエチレン（ＨＤＰＥ）、ポリプロピレン（ＰＰ）、および／またはフルオロポリマー（ポリクロロトリフルオロエチレン（ＰＣＴＦＥ）、ポリテトラフルオロエチレン（ＰＴＦＥ）、フッ素化エチレンポリプロピレン（ＦＥＰ）、およびペルフルオロアルコキシ（ＰＦＡ）等であるが、それらに限定されない）を使用して、製造されてもよい。オーバーパック１０２は、限定されないが、ボトル、缶、ドラム等の任意の好適な形状または構成であってもよい。
【００２０】
前述のように、移送および分配システム１００は、オーバーパック１０２内に配置され得るライナ１０４を含んでもよい。ライナ１０４は、ライナ壁１１２と、内部空洞１１４と、口部１１６とを含んでもよい。ライナ１０４の口部１１６は、付属品部分１１８を含んでもよい。付属品部分１１８は、ライナ１０４の別の部分と異なる材料から作製されてもよく、ライナの別の部分よりも堅く、弾力があり、かつ／または可撓性がなくてもよい。付属品部分１１８は、当業者によって理解されるように、任意の好適な手段（例えば、限定されないが、相補的ネジ山、スナップばめまたは摩擦ばめ手段、バヨネット手段、あるいは任意の他の好適なメカニズムもしくは結合のためのメカニズムの組み合わせ）によって、閉鎖具、コネクタ、または閉鎖具／コネクタアセンブリ１２２（以下により完全に論じられる）と結合してもよい。いくつかの実施形態では、コネクタまたは閉鎖具／コネクタアセンブリ１２２は、オーバーパック１０２の口部１１０に結合し、または同様に結合してもよい。
【００２１】
いくつかの実施形態では、ライナ１０４は、実質的に可撓である折畳式なライナである一方、他の実施形態では、ライナは、幾分、剛であるが、依然として、折畳可能であって、例えば、剛な折畳式ライナまたは実質的に剛な折畳式ライナであってもよい。本明細書で使用される場合、用語「剛な」または「実質的に剛な」とは、任意の標準的辞書定義に加え、第１の圧力の環境にあるとき、実質的に、その形状および／または体積を保持するが、増加圧力または減少圧力の環境では、形状および／または体積が変更され得る物体または材料の特性を含むことを意味する。物体または材料の形状および／または体積を変更するために必要とされる、圧力の増加量または減少量は、材料または物体の所望の用途に依存し、用途毎に変動し得る。加えて、用語「実質的に剛な」とは、実質的に、その形状および／または体積を保持するが、そのような増加圧力または減少圧力の印加に応じて、破壊ではなく、限定されないが、湾曲、屈曲等をもたらす傾向にある、物体または材料の特性を含むことを意味する。
【００２２】
ライナ１０４は、任意の好適な材料または材料の組み合わせ（例えば、限定されないが、オーバーパック１０２に関して上記に列挙された材料または材料の組み合わせのいずれか）を使用して製造されてもよい。しかしながら、オーバーパック１０２およびライナ１０４は、同一の材料から製造される必要はない。いくつかの実施形態では、選択される１つまたは複数の材料、およびその材料またはそれらの材料の厚さが、ライナ１０４の剛性を決定してもよい。ライナ１０４は、１つ以上の層を有してもよく、任意の望ましい厚さを有してもよい。ライナ１０４は、例えば、約０．０５ｍｍ〜約３ｍｍの厚さ、または任意の他の好適な厚さを有してもよい。
【００２３】
ライナ１０４は、ユーザにとって魅力的であり、かつ／またはライナの折畳を支援する、任意の望ましい形状を備えるように構成されてもよい。ライナ１０４は、いくつかの実施形態では、オーバーパック１０２の内側に実質的に適合するように寸法決定および成形されてもよい。したがって、ライナ１０２は、略平滑な外面を有する比較的単純なデザインを有してもよく、またはライナは、例えば、限定されないが、くぼみおよび／または突出を含む比較的複雑なデザインを有してもよい。いくつかの実施形態では、ライナ壁１１２は、浸出および／または付着を最小にするために、概して、テクスチャ加工された表面を含んでもよい。例えば、いくつかの実施形態では、表面は、例えば、約０．５〜１００μｍであるが、それに限定されない、任意の適切なサイズをそれぞれ有し得る、複数の隆起、スケール、または突起を含んでもよい。テクスチャ加工特徴は、互いから任意の好適な距離で離間されてもよい。いくつかの実施形態では、テクスチャ加工は、例えば、格子または足場等の枠組みを備えてもよい。いくつかの好適なテクスチャ加工特徴の実施例は、２０１０年５月１２日に出願された米国仮特許出願第６１／３３４，００６号「Ｆｌｕｉｄ  Ｐｒｏｃｅｓｓｉｎｇ  Ｃｏｍｐｏｎｅｎｔｓ  ｗｉｔｈ  Ｔｅｘｔｕｒｅｄ  Ｓｕｒｆａｃｅ  ｆｏｒ  Ｄｅｃｒｅａｓｅｄ  Ａｄｈｅｓｉｏｎ  ａｎｄ  Ｒｅｌａｔｅｄ  Ｍｅｔｈｏｄｓ」においてより詳細に説明され、それは、その全体が参照することによって本明細書に組み込まれる。ライナ１０４は、オーバーパック壁１０６の厚さと比較して、比較的に薄いライナ壁１１２を有してもよい。いくつかの実施形態では、ライナ壁１１２が、例えば、口１１６を通した真空によって、またはライナ壁１１２とオーバーパック壁１０６との間（本明細書においてその間の環状空間と呼ばれる）の圧力によって、容易に折畳し得るように、ライナ１０２は可撓であってもよい。
【００２４】
ライナ１０４は、さらなる実施形態では、オーバーパック１０２内に配置され得るように、膨張または充填された時に、オーバーパック１０２の形状とは異なるが補完的である形状を有してもよい。いくつかの実施形態では、ライナ１０４は、オーバーパック壁１０２の内部に取り外し可能に取り付けられてもよい。ライナ１０４は、ライナ壁１１２とオーバーパック壁１０６との間の環状空間からの駆動ガス移動に対して、ガスバリア等のバリアを提供してもよい。いくつかの実施形態では、ライナ１０４が製造される材料は、ガスバリア特性を提供してもよい。他の実施形態では、ガスバリアは、ライナ壁が製造される材料に添加される成分によって提供されてもよく、ライナ壁１１２に添加される付加的層であってもよく、またはガスバリアを環状空間とライナの内部との間に提供するための任意の他の好適な構造であってもよい。したがって、ライナ１０４は、概して、ライナ内の内容物の純度を確保および／または維持してもよい。
【００２５】
特に、ライナの内容物の滅菌性が実質的に維持されなければならない、いくつかの実施形態では、ライナ１０２は、ライナの中に配置された内容物のために滅菌環境を確保または維持するのに役立ち得る材料から成ってもよい。例えば、いくつかの実施形態では、ライナは、ＡＴＭＩ（Ｄａｎｂｕｒｙ，Ｃｏｎｎｅｃｔｉｃｕｔ）によって製造されたＴＫ８、または任意の他の好適な材料から成ってもよい。付加的実施形態または代替実施形態では、ライナおよび／またはライナベースの移送および分配システムは、２０１２年１０月１２日に出願された国際ＰＣＴ出願第ＰＣＴ／ＵＳ２０１２／５９８６５号「Ｌｉｎｅｒ−Ｂａｓｅｄ  Ｓｈｉｐｐｉｎｇ  ａｎｄ  Ｄｉｓｐｅｎｓｉｎｇ  Ｃｏｎｔａｉｎｅｒｓ  ｆｏｒ  ｔｈｅ  Ｓｕｂｓｔａｎｔｉａｌｌｙ  Ｓｔｅｒｉｌｅ  Ｓｔｏｒａｇｅ，  Ｓｈｉｐｍｅｎｔ，  ａｎｄ  Ｄｉｓｐｅｎｓｅ  ｏｆ  Ｍａｔｅｒｉａｌｓ」（参照することによってその全体が本明細書に組み込まれる）に開示されるもの等、特に、材料の実質的滅菌貯蔵、移送、および分配のために構成されたライナおよび／またはライナベースの移送および分配システムであってもよい。
【００２６】
上述のように、いくつかの実施形態では、ライナ１０４は、複数の層を備えてもよい。複数の層は、１つ以上の異なるポリマーまたは他の好適な材料を含んでもよい。いくつかの実施形態では、ライナの厚さ、プライ、および／または組成、および／またはライナの複数層は、例えば、溶接部の裂け目、ピンホール、ガス混入、および／または任意の他の汚染の手段等の、従来のライナまたはパッケージングと関連付けられる典型的な脆弱性または問題を制限または排除することによって、本開示のライナベースのシステムの内容物の確実で実質的に汚染されない移送を可能にし得る。同様に、または加えて、ライナ１０４はまた、ライナが充填された時に、オーバーパックの形状に実質的に適合するようにライナを構成し、それにより、移送中の内容物の移動量を低減することによって、本開示の移送分配システム１００の内容物の確実で実質的に汚染されない移送に貢献し得る。
【００２７】
オーバーパック１０２およびライナ１０４はそれぞれ、任意の好適な製造工程（例えば、限定されないが、射出ブロー成形、射出ストレッチブロー成形、押出成形）を使用して製造されてもよく、それぞれ、単一の構成要素として製造されてもよく、または複数の構成要素の組み合わせであってもよい。いくつかの実施形態では、オーバーパック１０２およびライナ１０４は、本明細書では共ブロー成形とも呼ばれる、入れ子式でブロー成形されてもよい。共ブロー成形技法を利用するライナベースのシステムおよび方法の実施例は、２０１１年１０月１０日出願の国際ＰＣＴ出願第ＰＣＴ／ＵＳ１１／５５５６０号「Ｎｅｓｔｅｄ  Ｂｌｏｗ  Ｍｏｌｄｅｄ  Ｌｉｎｅｒ  ａｎｄ  Ｏｖｅｒｐａｃｋ  ａｎｄ  Ｍｅｔｈｏｄｓ  ｏｆ  Ｍａｋｉｎｇ  Ｓａｍｅ」（その全体が参照することによって本明細書に組み込まれる）においてさらに詳細に説明されている。いくつかの実施形態では、ライナは、既に形成されたオーバーパック中にブロー成形されてもよく、それによって、オーバーパックは、時として、本明細書において「二重ブロー成形」と称される、ライナのための鋳型として機能してもよい。そのような実施形態では、オーバーパックは、任意の好適な工程によって製造されてもよい。
【００２８】
使用され得る、ライナおよびオーバーパックの種類の実施例は、２０１１年１０月１０日に出願された国際ＰＣＴ出願第ＰＣＴ／ＵＳ１１／５５５５８号「Ｓｕｂｓｔａｎｔｉａｌｌｙ  Ｒｉｇｉｄ  Ｃｏｌｌａｐｓｉｂｌｅ  Ｌｉｎｅｒ，  Ｃｏｎｔａｉｎｅｒ  ａｎｄ／ｏｒ  Ｌｉｎｅｒ  ｆｏｒ  Ｒｅｐｌａｃｉｎｇ  Ｇｌａｓｓ  Ｂｏｔｔｌｅｓ，  ａｎｄ  Ｅｎｈａｎｃｅｄ  Ｆｌｅｘｉｂｌｅ  Ｌｉｎｅｒｓ」、２０１１年１０月１０日に出願された国際ＰＣＴ出願第ＰＣＴ／ＵＳ１１／５５５６０号「Ｎｅｓｔｅｄ  Ｂｌｏｗ  Ｍｏｌｄｅｄ  Ｌｉｎｅｒ  ａｎｄ  Ｏｖｅｒｐａｃｋ  ａｎｄ  Ｍｅｔｈｏｄｓ  ｏｆ  Ｍａｋｉｎｇ  Ｓａｍｅ」、２０１１年１２月９日に出願された国際ＰＣＴ出願第ＰＣＴ／ＵＳ１１／６４１４１号「Ｇｅｎｅｒａｌｌｙ  Ｃｙｌｉｎｄｒｉｃａｌｌｙ−Ｓｈａｐｅｄ  Ｌｉｎｅｒ  ｆｏｒ  Ｕｓｅ  ｉｎ  Ｐｒｅｓｓｕｒｅ  Ｄｉｓｐｅｎｓｅ  Ｓｙｓｔｅｍｓ  ａｎｄ  Ｍｅｔｈｏｄｓ  ｏｆ  Ｍａｎｕｆａｃｔｕｒｉｎｇ  ｔｈｅ  Ｓａｍｅ」、２０１２年９月２１日に出願された米国仮出願第６１／７０３，９９６号「Ｌｉｎｅｒ−Ｂａｓｅｄ  Ｓｈｉｐｐｉｎｇ  ａｎｄ  Ｄｉｓｐｅｎｓｉｎｇ  ｓｙｓｔｅｍ」、２０１１年３月２９日に出願された米国仮出願第６１／４６８，８３２号「Ｌｉｎｅｒ−Ｂａｓｅｄ  Ｄｉｓｐｅｎｓｅｒ」および２０１１年１１月２２日に出願された関連国際ＰＣＴ出願第ＰＣＴ／ＵＳ２０１１／０６１７６４号、２０１１年８月１９日に出願された米国仮出願第６１／５２５，５４０号「Ｌｉｎｅｒ−Ｂａｓｅｄ  Ｄｉｓｐｅｎｓｉｎｇ  Ｓｙｓｔｅｍｓ」および２０１１年１１月２２日に出願された関連国際ＰＣＴ出願第ＰＣＴ／ＵＳ２０１１／０６１７７１号、２０００年５月３１日に出願された米国特許出願第１３／１４９，８４４号「Ｆｌｕｉｄ  Ｓｔｏｒａｇｅ  ａｎｄ  Ｄｉｓｐｅｎｓｉｎｇ  Ｓｙｓｔｅｍｓ  ａｎｄ  Ｐｒｏｃｅｓｓｅｓ」、２００６年６月５日に出願された米国特許出願第１１／９１５，９９６号「Ｆｌｕｉｄ  Ｓｔｏｒａｇｅ  ａｎｄ  Ｄｉｓｐｅｎｓｉｎｇ  Ｓｙｓｔｅｍｓ  ａｎｄ  Ｐｒｏｃｅｓｓｅｓ」、２０１０年１０月７日に出願された国際ＰＣＴ出願第ＰＣＴ／ＵＳ１０／５１７８６号「Ｍａｔｅｒｉａｌ  Ｓｔｏｒａｇｅ  ａｎｄ  Ｄｉｓｐｅｎｓｉｎｇ  Ｓｙｓｔｅｍ  ａｎｄ  Ｍｅｔｈｏｄ  Ｗｉｔｈ  Ｄｅｇａｓｓｉｎｇ  Ａｓｓｅｍｂｌｙ」、国際ＰＣＴ出願第ＰＣＴ／ＵＳ１０／４１６２９号、米国特許第７，３３５，７２１号、米国特許出願第１１／９１２，６２９号、米国特許出願第１２／３０２，２８７号、国際ＰＣＴ出願第ＰＣＴ／ＵＳ０８／８５２６４号、２０１１年２月１５日に出願された米国特許出願第１２／７４５，６０５号、２０１２年２月２９日に出願された米国仮出願第６１／６０５，０１１号「Ｌｉｎｅｒ−Ｂａｓｅｄ  Ｓｈｉｐｐｉｎｇ  ａｎｄ  Ｄｉｓｐｅｎｓｉｎｇ  Ｓｙｓｔｅｍ」、および２０１１年１１月１８日に出願された米国仮出願第６１／５６１，４９３号「Ｃｌｏｓｕｒｅ／Ｃｏｎｎｅｃｔｏｒｓ  ｆｏｒ  Ｌｉｎｅｒ−Ｂａｓｅｄ  Ｓｈｉｐｐｉｎｇ  ａｎｄ  Ｄｉｓｐｅｎｓｉｎｇ  Ｃｏｎｔａｉｎｅｒｓ」においてさらに詳細に開示され、それぞれは、その全体が参照するこ���によって本明細書に組み込まれる。本開示の移送および分配システム１００と併用するためのオーバーパック１０２およびライナ１０４は、可撓な、剛な折畳式、２次元、３次元、溶接、成形、ガセット付き、かつ／またはガセットがないライナ、および／または折目を含むライナ、および／またはチョークオフを制限あるいは排除するための方法を含むライナ、ならびに、例えば、ＡＴＭＩ，Ｉｎｃ．によってＮＯＷｐａｋ（登録商標）という商標の下で販売されているライナを含むが、それらに限定されない、上記の出願のうちのいずれかで開示されている、実施形態、特徴、および／または改良点のうちのいずれかを含んでもよい。本明細書で説明される実施形態で開示される、分配システムの種々の特徴は、他の実施形態に関して説明される１つ以上の他の特徴と組み合わせて使用されてもよい。
【００２９】
一特定の実施形態では、図１Ｂに図示されるように、本開示の貯蔵および分配システムは、オーバーパック１３２内に位置決めされるライナ１３０を有するライナベースのシステムを含んでもよい。オーバーパック１３２は、上部１３４および底部１３６を含んでもよい。底部１３６はまた、出縁とも称され得る。しかしながら、他の実施形態では、オーバーパックは、一体型部品であってもよく、またはさらに他の実施形態では、オーバーパックは、２つをよりも多い部品を備えてもよい。ライナおよびオーバーパックは、本明細書に説明される任意の好適な方法によって形成されてもよく、本明細書に説明される任意の好適な材料から成ってもよい。例えば、単一部品オーバーパックを有する実施形態では、ライナおよびオーバーパックは、例えば、共ブロー成形されてもよい。ライナ１３０および／またはオーバーパック１３２は、表面特徴を含んでもよく、入れ子式共ブロー成形が、ライナおよびオーバーパックを製造するために使用される場合等のいくつかの実施形態では、同一の広がりを持つ表面特徴は、例えば、温度変化から生じ得る、ライナおよび／またはオーバーパック内の陥凹形成を最小限または排除するのに役立ち得る。特に、一実施形態では、ライナ１３０は、例えば、限定されないが、ライナの円周に位置決めされ得る、１つ以上のくぼみまたは突出パネル１３８のような表面特徴を含み得る。いくつかの実施形態では、オーバーパック１３２はまた、類似の表面特徴または同一の広がりを持つ表面特徴を有してもよい。そのような表面特徴は、米国仮出願第６１／６０５，０１１号および国際ＰＣＴ出願第ＰＣＴ／ＵＳ１１／５５５５８号（以前に参照することによって全体が本明細書に組み込まれた）にさらに説明されるように、任意の所望または好適な寸法、幾何学形状、またはパターンを含んでもよい。概して、１つ以上のパネル等の表面特徴は、ライナおよび／またはオーバーパックに強度および／または剛性を追加し得る。しかしながら、いくつかの実施形態では、より浅い縁取りもまた、ライナがオーバーパックに付着しないように維持し得る。
【００３０】
他の実施形態では、本開示のライナベースの移送および分配システムは、貯蔵および／または輸送中に、その中に含まれた浮遊物質の定着を遅らせるように、内面にバッフル、バッフル特徴、または他の不連続性を含んでもよい。
【００３１】
本明細書に説明されるライナベースの移送および分配システムは、正方形、長方形、三角形または錐体、円筒形、または任意の他の好適な多角形あるいは他の形状を含むが、それらに限定されない、任意の好適な形状として構成されてもよい。異なる形状の分配器が、貯蔵および／または輸送中の梱包密度を改善することができ、全体的な輸送費を削減してもよい。加えて、分配器内に提供された内容物の指標を提供するため、または内容物が使用される１つあるいは複数の用途を識別するため等の目的で、分配器を相互と区別するために、異なる形状の分配器を使用することができる。なおもさらなる実施形態では、本明細書で説明される分配器は、既存の分配アセンブリまたは分配システムを用いて分配器を「改造する」ために、任意の好適な形状として構成されてもよい。
【００３２】
本開示のライナベースのアセンブリの実施形態は、（例えば、ライナおよび／またはオーバーパックの材料中に上塗りまたはスリップ剤を含むことによって）静止摩擦を最小限にするのに役立ち得、（例えば、オーバーパックに着色剤を含むことにより、紫外線光の透過を低減させることによって）汚染のリスクを低減させるのに役立ち得、（例えば、１つ以上のハンドルまたは付加的パッケージング要素を含むことによって）ライナベースのアセンブリのパッケージ化、移送、搬送、および／または移動をより容易にし得、ライナおよびオーバーパックが、１つ以上のキャップ、コネクタ、または分配アセンブリと適合性があることを可能にし、かつ／またはライナベースのアセンブリをさらに固定し、かつ／またはライナの内容物に汚染がないようにし得る付加的特徴（例えば、リング、つば、シール、コネクタ、キャップ）、および／または、米国仮出願第６１／６０５，０１１号、米国仮出願第６１／５６１，４９３号、および国際ＰＣＴ出願第ＰＣＴ／ＵＳ１１／５５５５８号（それぞれ、以前に参照することによってその全体が本明細書に組み込まれた）により完全に説明されるもの等の任意の他の特徴を含み得る。
【００３３】
概して、使用時、ライナベースのシステムは、以下の方法で使用されてもよい。最初に、ライナベースのシステムは、充填場所に移送され得る。ライナベースのシステムは、所望の物質で充填され、次いで、例えば、エンドユーザに移送されてもよい。エンドユーザは、次いで、コンテナの内容物を貯蔵および／または分配してもよい。最後に、分配後、エンドユーザは、ライナベースのシステムを廃棄し、かつ／または閉鎖具／コネクタアセンブリの一部または全部を含むライナベースのシステムの一部または全部をリサイクルあるいは再使用してもよい。閉鎖具／コネクタアセンブリは、ライナベースのシステムのための前述の使用のサイクルの１つ以上の時点において使用されるように好適に構成されてもよい。例えば、充填コネクタは、ライナの充填の間、ライナの付属品１１８、オーバーパックの口部１１０、またはその両方に固定されてもよい。充填コネクタは、いくつかの実施形態では、充填の間、ライナ内に導入される汚染物質またはその中に導入される物質を制限し、あるいは実質的に排除し、かつ／または例えば、充填が生じ得る速度を増加させるように構成されてもよい。ライナが、充填場所で充填されると、シッピングキャップまたは閉鎖具が、ライナベースのシステムに着脱可能に固定されてもよい。いくつかの実施形態では、キャップまたは閉鎖具は、ライナの付属品１１８、オーバーパックの口部１１０、またはその両方に結合してもよい。いくつかの場合には、充填コネクタは、閉鎖具を接続する前に、除去されてもよいが、他の場合には、閉鎖具は、充填コネクタに結合し得、充填コネクタは、貯蔵および／または輸送の間、コンテナ上にとどまり得る。閉鎖具の目的は、概して、貯蔵および／または輸送の間、ライナから汚染物質を排除し、所望の材料をその中に維持することである。いくつかの場合には、充填されたライナまたはライナベースのシステムが、分配の一部または全部が生じる最終目的地に到着すると、閉鎖具（または、いくつかの実施形態では、閉鎖具および充填コネクタ）は、除去されてもよく、分配コネクタは、ライナの付属品１１８、オーバーパックの口部１１０、またはその両方に固定されてもよい。いくつかの実施形態では、充填コネクタはまた、分配コネクタとして構成されてもよい。故に、いくつかの場合には、閉鎖具またはキャップは、単一のコネクタが、充填、移送、および分配のために使用され得るように、コネクタ内に組み込まれてもよい一方、他の場合には、分配コネクタは、充填のために使用されるコネクタと別個のコネクタであってもよい。
【００３４】
分配コネクタは、エンドユーザによって使用される特定の分配システムと適合性があるように構成されてもよい。既存の分配システムは、産業毎に変動し得る。いくつかの場合には、種々の分配システムは、例えば、その産業において典型的に使用され得る移送および分配コンテナの構成、および／または任意の他の理由から、特定の産業において策定され得る任意の他の規格または基準に応じて、特定の産業において使用されてもよい。
【００３５】
本明細書に説明される貯蔵および分配システムの種々の実施形態は、任意の好適な分配工程において利用されてもよい。例えば、本明細書に説明される貯蔵および分配システムの種々の実施形態は、韓国登録特許第１０−０９７３７０７号「Ａｐｐａｒａｔｕｓ  ｆｏｒ  Ｓｕｐｐｌｙｉｎｇ  Ｆｌｕｉｄ」（参照することによってその全体が本明細書に組み込まれる）に開示される逆分配方法の種々の実施形態を含む、直接圧力分配および間接圧力分配、ポンプ分配、および圧力支援ポンプ分配を含む、圧力分配工程において利用されてもよい。同様に、本明細書に説明される貯蔵および分配システムの種々の実施形態は、従来の手動または自動注入方法、あるいは材料の意図された使用または関与する用途に対応するコンテナの内容物を分配する任意の他の好適な手段において利用されてもよい。分配コネクタは、ライナの内容物を分配するために使用される特徴を含んでもよい。いくつかの実施形態では、分配コネクタ特徴は、例えば、既存の圧力分配システムを使用して、分配を可能にしてもよい。概して、そのような圧力分配コネクタ特徴は、概して、ライン中のガス圧力が分配コネクタを通して挿入され、または分配コネクタと結合され、ライナ１０４とオーバーパック１０２との間の環状空間と流体連絡することを可能にする加圧ガス入口を含んでもよい。そのようなシステムでは、加圧流体、ガス、または他の好適な物質は、環状空間内に導入され、ライナをオーバーパック壁から離れるように折畳させ、それによって、液体出口を通してライナの内容物を外に押し出し得る。一実施形態では、例えば、ライナ内に貯蔵された液体を分配するために、ライナとオーバーパックとの間の環状空間が、国際ＰＣＴ出願第ＰＣＴ／ＵＳ１１／５５５５８号（以前に参照することによって組み込まれた）にさらに説明されるように、加圧されてもよい。
【００３６】
間接圧力分配の使用は、いくつかの場合には、他の分配方法より有利であり得る。例えば、ライナの内容物を分配するためのポンプの使用は、不利なことに、気泡を生じさせる可能性があり、かつ／または材料およびシステムに応力をかけ得、これは、ライナの内容物の純度が重要であり得るため、望ましくない場合がある。圧力分配の使用は、これらの問題を回避または排除するのに役立ち得る。さらに、いくつかの場合には、より高い分配率が、ポンプ分配とは対照的に、圧力分配によって達成され得る。しかしながら、直接圧力分配方法は、ガスをライナの内容物内に直接導入させ、ライナの内容物の純度を低下させる可能性がある。間接圧力分配の使用は、これらの問題を回避または排除するのに役立ち得る。
【００３７】
したがって、限定ではないが、閉鎖具／コネクタアセンブリの一実施形態は、特に、食品産業において使用される材料を含む、ライナベースのアセンブリに関して有用であるように構成されてもよい。図２に見られ得るように、ライナベースのシステム２００において使用するための閉鎖具／コネクタアセンブリ２４０は、いくつかの実施形態では、閉鎖具２５０およびプラグ２６０を含んでもよい。前述のように、コンテナシステム２２０は、いくつかの実施形態では、オーバーパック内に配置されるライナを含んでもよい。しかしながら、本明細書に説明されるようなライナおよび／またはオーバーパックのいずれも、本開示の精神および範囲内であることが想定され、その範囲内にあると理解される。
【００３８】
閉鎖具／コネクタアセンブリ２４０の閉鎖具２５０は、有利なことに、エンドユーザによって使用される既存の分配システム、および／または、例えば、食品産業において使用され得る他の既存の技術または機械類と適合性があるように構成されてもよい。したがって、本開示の閉鎖具／コネクタアセンブリ２４０を使用することによって、コンテナシステム（ライナおよび／またはオーバーパックを含む）に関連する本明細書に説明される利点は、例えば、エンドユーザ技術または機械類の変更を必要とすることなく利用され得る。
【００３９】
閉鎖具２５０は、いくつかの実施形態では、口部２５２および接続特徴２５４を含んでもよい。口部２５２は、いくつかの実施形態では、容易な分配および／または制御された分配を可能にするように構成されてもよい。閉鎖具２５０の口部２５２は、１つ以上の分配システムと適合性があるように好適に定寸および成形されてもよく、または同様に定寸および成形されてもよい。
【００４０】
図３Ａは、閉鎖具２５０がライナベースのコンテナ２２０に結合されるいくつかの実施形態による、本開示の閉鎖具２５０の破断図を示す。閉鎖具２５０は、いくつかの実施形態では、接続特徴２５４によって、ライナベースのコンテナ２２０に結合されてもよい。図に見られ得るように、オーバーパックの口部３１０は、いくつかの実施形態では、ライナの付属品３１８に結合されてもよい。一実施形態では、示されるように、オーバーパックの口部３１０およびライナの付属品３１８は、相補的ネジ山によって結合されてもよいが、他の結合手段も、可能である。他の実施形態では、オーバーパックの口部３１０は、ライナの付属品３１８に隣接するが、結合されなくてもよい。閉鎖具２５０は、閉鎖具２５０および／またはライナおよび／またはオーバーパック上に存在し得る接続特徴２５４によって、ライナベースのコンテナ２２０に着脱可能に固定されてもよく、または同様に固定されてもよい。例えば、一実施形態では、接続特徴２５４は、例えば、ライナの付属品３１８上の外部ネジ山および／またはオーバーパックの口部３１０上の外部ネジ山と相補的であり得る、内部ネジ山を備えてもよい。スナップばめ、摩擦ばめ、または任意の他の好適な手段、または手段の組み合わせ等、閉鎖具２５０をライナベースのコンテナ２２０に着脱可能に固定する任意の他の好適な手段も可能であることを認識されたい。
【００４１】
閉鎖具２５０は、金属、プラスチック、あるいは任意の他の材料または材料の組み合わせ等、任意の好適な材料から成ってもよい。いくつかの実施形態では、閉鎖具２５０は、上記に列挙されたもの、または任意の他の好適な材料、または材料の組み合わせ等、滅菌環境において使用するために好適であり得る材料から成ってもよい。
【００４２】
図２に戻って参照すると、いくつかの実施形態では、付属品プラグ２６０もまた、閉鎖具／コネクタアセンブリ内に含まれてもよい。付属品プラグ２６０は、閉鎖具２５０内の開口部２５２内に挿入されてもよい。いくつかの実施形態では、プラグ２６０は、１つ以上の点において、任意の好適な方法または方法の組み合わせを通して、閉鎖具２５０と実質的に固定するように結合してもよい。例えば、プラグ２６０は、例えば、閉鎖具口部２５２の内部上の相補的ネジ山と噛合するネジ山を有してもよい。他の実施形態では、プラグ２６０は、プラグが閉鎖具２５０の口部２５２にしっかりと結合することを可能にし得るスナップばめおよび／または摩擦ばめ特徴を有してもよく、または同様に有してもよい。いくつかの実施形態では、プラグ２６０は、貯蔵および／または移送のために、閉鎖具２５０に概して緊密に結合し、または概して気密様式で結合され得るが、依然として、除去が所望されるとき、着脱可能であり得る。
【００４３】
付属品プラグは、いくつかの実施形態では、例えば、汚染物質が、コンテナ２２０内に侵入することができず、ライナの内容物が、所望されるまで、コンテナ２２０から出ることができないように、貯蔵および／または移送のために使用されてもよい。プラグ２６０は、金属、プラスチック、あるいは任意の他の材料または材料の組み合わせ等、任意の好適な材料から成ってもよい。いくつかの実施形態では、プラグ２６０は、上記に列挙されたもの、または任意の他の好適な材料、または材料の組み合わせ等、滅菌環境において使用するために好適であり得る、材料から成ってもよい。プラグ２６０は、閉鎖具２５０と同一のまたは異なる材料から成ってもよい。いくつかの実施形態では、プラグ２６０は、例えば、限定されないが、Ｓｃｈｏｌｌｅ  Ｐａｃｋａｇｉｎｇ，Ｉｎｃ．（Ｎｏｒｔｈｌａｋｅ，Ｉｌｌｉｎｏｉｓ）またはＥ．Ｉ．ｄｕ  Ｐｏｎｔ  ｄｅ  Ｎｅｍｏｕｒｓ  ａｎｄ  Ｃｏｍｐａｎｙ製のもの等、食品産業において使用される既存のプラグであってもよい。この点において、閉鎖具２５０の口部２５２は、特に、そのようなプラグ２６０を受け取るように構成されてもよい。前述の実施形態は、特に、食品産業における用途に有利であるように説明されたが、閉鎖具／コネクタアセンブリ２４０は、任意の所望の用途および／または任意の所望の産業のための移送および分配コンテナと併用されてもよいことが理解される。
【００４４】
別の実施形態では、前述の閉鎖具／コネクタまたは任意の他の閉鎖具／コネクタアセンブリは、シールを含んでもよく、シールは、特に、いくつかの場合には、キャップまたはコネクタが、除去され得、例えば、別のものが、分配のために取り付けられ得、ライナの内容物が、シールがないならば、その時間の間、暴露され得るとき、ライナの内容物に汚染物質が入らないように維持するのに役立ち得る。図３Ｄに示されるシール３２０は、いくつかの実施形態では、可撓なシールであってもよく、実質的に、空気が、分配の前に、ライナ内に含まれる材料中に導入されないように、分配の間、コネクタのプローブによって穿通されてもよい。例えば、ライナ３４０は、図３Ｂに示されるように、材料Ｍで充填されてもよい。いくつかの場合には、充填体積は、事前に決定され、制御されてもよい。例えば、充填体積は、充填の間の流速と、材料がライナを充填することを可能にされる時間量とを測定ならびに制御することによって、決定されてもよい。代替として、充填体積は、充填工程の間、ライナベースのシステムの重量を測定し、所定かつ所望の充填体積が達成されると、充填工程を停止することによって決定されてもよい。充填体積はの事前決定および制御のさらに他の方法も、本開示の精神および範囲であると想定され、その範囲内である。いくつかの実施形態では、ライナが充填されると、加圧流体またはガスが、ライナ３４０の外側壁とオーバーパック３４２の内側壁との間の環状空間内に導入されてもよい。環状空間内に導入される圧力は、図３Ｃに示されるように、ライナ３４０の壁を圧縮するように作用し、それによって、ライナ３４０内の材料Ｍをライナの上部まで押し、望ましくないヘッドスペースの全部を実質的に除去し得る。「ヘッドスペース」とは、例えば、ライナが所望の物質で充填された後、ライナの上部に残留する、空気等のガスの量を指す。ヘッドスペースは、ガスが、例えば、発泡化、気泡、応力、タンパク質損傷、および／または材料のガス汚染を生じさせ得るため、望ましくない場合があり、これは、システムの内容物の純度を維持することが重要である場合、非常に望ましくない可能性がある。
【００４５】
図９に示される本開示の一実施形態では、充填場所において、充填されたライナの内容物を脱気すると同時に、移送および／または貯蔵のために充填されたライナの密閉または固定する前に、概して、充填されたライナ内のヘッドスペースの全部を除去し得るように、充填工程９００が、利用されてもよい。前述のように、充填されたライナ内のヘッドスペースを制限または実質的に排除することは、例えば、ライナベースのアセンブリが移送の間に移動されるとき、ライナの内容物を汚染するヘッドスペースガスのリスクを制限または実質的に排除するため、有利であり得る。
【００４６】
当技術分野において理解され得るように、いくつかの物質は、多かれ少なかれ、体積を占有し得、すなわち、温度変化の結果、膨張または収縮し得る。例えば、ライナの内容物が、充填され、概して、ある温度において、ライナ内に密閉され、次いで、例えば、貯蔵または移送の間、温度変化を被る場合、その結果として、ライナ内の物質は、膨張（温度上昇に伴って）または収縮（温度低下に伴って）のいずれかを行い得る。温度の上昇変化に伴って膨張する傾向にあり得る物質の場合、物質の熱膨張がライナ壁に応力をかけ、潜在的に、ライナ内の漏出を生じさせ得るリスクが存在する。ヘッドスペースが除去される場合では、既に物質で占有されていないライナ内の空間が存在せず、したがって、物質が比較的に少量であっても膨張する場合、圧力が、ライナ壁に損傷を及ぼし、漏出をもたらし得るため、本リスクは、ヘッドスペースが除去される場合、さらに深刻化し得る。本開示は、有利なことに、本問題の解決策を提供し、それによって、ライナ内に含まれる物質の熱膨張の場合に生じる漏出のリスクを排除または実質的に最小限にすると同時に、実質的に、全ヘッドスペースが除去されることを可能にする。
【００４７】
本開示の一実施形態では、ライナは、所望の物質で充填されてもよく、物質は、ライナが物質で充填されるにつれて、加熱され、ガス平衡化される９０２。例えば、物質は、ライナ内に導入されるときに加熱されてもよい。いくつかの実施形態では、物質は、貯蔵および移送の間を含む、分配の前に、物質が被ることが予期される最大温度に加熱されてもよい。他の実施形態では、物質は、任意の好適かつ所望の温度に加熱されてもよい。いくつかの実施形態では、例えば、物質は、充填工程の間、約４０〜６０℃に加熱されてもよい。他の場合には、物質は、約５０〜５５℃に加熱されてもよい。さらに他の実施形態では、任意の好適な充填温度が、選択されてもよい。ライナは、いくつかの実施形態では、概して、ヘッドスペースガスのための余剰空間を残さずに、ライナの上部まで充填されてもよい一方、他の実施形態では、ライナの上部に、幾分かの比較的に少量の空間が残されてもよい。ライナが充填されると、ライナは、物質をライナ内に保持し、ライナの外部の汚染物質へのその物質の暴露を最小限または実質的に排除する、任意の好適な様式で密閉、固定、および／またはキャップされてもよい９０４。１つ以上のシール、キャップ、または他の固定メカニズムは、ガス不浸透性であってもよい。いくつかの実施形態では、一部または任意のヘッドスペースは、キャップまたはコネクタがライナに固定された後、除去されてもよい９０６。そのような実施形態では、ライナとオーバーパックとの間の環状空間が、例えば、以下にさらに詳細に説明されるように、ライナの壁を内向きに圧縮し、それによって、いかなるヘッドスペースもライナから、キャップおよび／またはコネクタの保持区域内に押しやるように加圧されてもよい。しかしながら、ヘッドスペースを除去する任意の好適な方法が、本開示の精神および範囲であると想定され、その範囲内であることが理解される。ライナ内の物質は、次いで、周囲室温まで冷却させられてもよい９０８。物質が冷却するにつれて、物質は、概して、室温に対して不飽和となり、すなわち、物質は、実質的に、脱気される。さらに、ライナが密閉された後、物質が室温まで冷却される場合、物質は、収縮する傾向にあり得る。物質の収縮は、充填および固定されたライナ内に、少量の隙間空間を提供し得る。
【００４８】
前述のように、移送および／または貯蔵の間、ライナ内の物質は、物質がライナの高温充填後に冷却された温度より高い温度を被り得る。例えば、ライナベースのアセンブリは、例えば、充填場所における室温より高くあり得る砂漠等の比較的により高い温度を有する地方を通して移送され得る。故に、ライナ内の物質は、概して、温度が上昇するにつれて、膨張し得る。いくつかの実施形態では、ライナおよび／またはオーバーパックの特徴は、物質膨張から生じるライナへのいかなる応力も低減または排除するのに役立ち得る。例えば、いくつかの実施形態では、ライナおよび／またはオーバーパックは、圧力が印加されると、ライナを膨張させ得る、前述のパネル等の表面特徴を有してもよい。パネル１３８は、圧力が、例えば、ライナの内容物の熱膨張によって、ライナの内側から、それらに付与されるまで、例えば、図１Ｂに示されるように、凹状であってもよい。パネルが、具体的に上記に説明されたが、ライナ内の物質が膨張するにつれて、概して、ライナを膨張させ得る任意の好適な表面特徴も、本開示の精神および範囲であると想定され、その範囲内であることが理解される。さらに、前述のように、高温充填され、密閉された後、物質が冷却されると、物質収縮もまた、後にライナ壁に応力をかけずに、物質を熱的に膨張させ得るライナ内の付加的空間を提供し得る。本明細書に説明される充填方法は、有利なことに、ライナが、実質的に完全に充填され、ヘッドスペースガスがないままであることを可能にすると同時に、依然として、ある程度の物質の熱膨張を可能にし、それによって、熱膨張関連損傷、汚染、または漏出の可能性を有意に低減あるいは排除し得る。
【００４９】
特に、薄いライナ壁を有するもののような、より繊細なコンテナシステムに関する、ヘッドスペース除去のいくつかの実施形態では、内側ライナ１０４とオーバーパック１０２との間のいかなる非共形嵌合も、移送シミュレーションの間、潜在的製品故障をもたらし得る。すなわち、ヘッドスペースを除去するために、環状空間を加圧することは、本明細書に説明されるように、概して、オーバーパックから離れる方向に、ライナの意図的変形を生じさせ、これは、常時ではないが、例えば、移送の間、コンテナ故障またはコンテナの要求される仕様への不準拠につながり得る。したがって、いくつかの実施形態では、付加的または代替ステップが、ヘッドスペース除去工程において講じられ、そのような変形を回避し、またはそのような変形の結果として生じる影響を低減させ得る。
【００５０】
例えば、いくつかの実施形態では、ヘッドスペース除去工程の間、ライナおよび外側パックの両方は、略均一に折畳され得る。これを達成するために、オーバーパック１００２および出縁１００４内に位置決めされるライナ（不可視）を有し、ライナおよび／またはオーバーパックと動作可能に結合された閉鎖具１００６を含むライナベースの貯蔵および分配システム１０００を図示する、図１０に図示される一実施形態では、一方向弁または逆止弁１００８が、提供されてもよく、それを通して、ヘッドスペース除去が、達成されてもよい。一実施形態では、一方向弁１００８は、閉鎖具１００６と動作可能であり、または一体的に含まれてもよい。一方向弁１００８は、ライナの内部と流体連絡し、ライナの内部から閉鎖具１００６の外側方向に、ガスの流動を可能にするように構成または提供されてもよい。理解され得るように、閉鎖具１００６はまた、本明細書に説明されるように、間接圧力分配によって、ライナの内容物を分配するために使用され得る、ライナとオーバーパックとの間の環状空間と連絡するポート１０１０を含んでもよい。ヘッドスペース除去を達成するために、ライナを充填し、閉鎖具１００６を用いてライナをキャップする際に、ガスが、ライナとオーバーパックとの間の環状空間に流入し得ないように、環状空間ポート１０１０（提供される場合）が、最初に、キャップされてもよい。環状空間ポート１０１０のキャップ後、真空が、真空源をライナの内部と連絡する一方向弁に接続し、ライナの内部内のいかなるヘッドスペースも排除すること等によって、印加されてもよい。これは、典型的には、最小限であるが、ライナおよびオーバーパック１００２の両方の実質的に均一な折畳をもたらし得、これは、前述のように、いくつかの場合には、不利点であり得るオーバーパックから離れる方向のライナの変形を回避または低減させることができる。多くの場合、ヘッドスペースの全部または実質的に全部である所望の量が、ライナの内部から排出されると、真空源は、一方向弁１００８から除去されてもよい。一方向弁１００８も、いくつかの実施形態では、所望に応じて、取り外されてもよい。しかしながら、一方向弁１００８は、閉鎖具１００６とともに残され得、その一方向特性の性質に従って、いかなる空気もライナ内に逆移動しないように別様に防ぐはずである。さらなる実施形態では、一方向弁は、さらなる保護のためにキャップされてもよい。他の実施形態では、真空源に加え、またはその代替として、ヘッドスペースは、圧力をオーバーパックに印加することによって、除去されてもよい。環状空間ポート１０１０が、キャップされるため、オーバーパックにかかる圧力は、圧力をライナに印加させ得、ヘッドスペースは、したがって、一方向弁１００８を介して、外に押しやられ得る。パッケージが、次いで、エンドユーザへの輸送のために準備され得、エンドユーザの場所への到着の際、ライナの内側に含まれる材料は、ヘッドスペースの排出されるレベルを維持するはずである。本明細書では、逆止弁として論じられるが、弁は、吹出弁または同様のものを含むが、それらに限定されない、任意の好適な一方向弁であり得る。
【００５１】
さらに他の実施形態では、環状空間は、加圧される必要はなく、ヘッドスペースも、除去される必要はない。実際、多くの実施形態は、そのような処理を要求しなくてもよい。ヘッドスペースが除去されるかどうかにかかわらず、シール、いくつかの実施形態では、可撓なシールが、ライナの出口に適用されてもよい（シールが適用されると、ライナの内容物が逃散しないことがあるように、ライナの付属品の内部空間にシールを適用することを含む）。シールは、プラスチック、ゴム、エラストマー、または任意の他の好適な材料を含むが、それらに限定されない、任意の好適な材料または材料の組み合わせから成ってもよい。シールは、いくつかの実施形態では、フラットシールと称され得るもの、または他の実施形態では、ライナの付属品の首部のさらに下方に設置され得る袋（ｂｌａｂｂｅｒ）シールと称され得るものを含むが、それらに限定されない、任意の好適なタイプのシールであってもよい。シールは、ライナの首部の内部と嵌合を形成してもよく、ライナの首部の内部に熱密閉され、接着され、または別様に嵌合されてもよい。他の実施形態では、シールは、ライナの首部の上部に嵌合されてもよい。シールが適用されると、前述の随意のヘッドスペース除去ステップにおいて、環状空間に印加されたいかなる圧力も、環状空間から除去され得、本明細書に説明される移送および／または貯蔵キャップまたは他の閉鎖具／コネクタアセンブリは、貯蔵および／または移送のために、ライナおよび／またはオーバーパックに結合されてもよい。エンドユーザは、次いで、コンテナの内容物を貯蔵および／または分配してもよい。ライナの内容物を分配することが所望されると、内容物は、任意の好適な分配方法（例えば、前述のように、材料の意図された使用または関与する用途と対応する、コンテナの内容物の直接圧力分配および間接圧力分配、ポンプ分配、圧力支援ポンプ分配、逆分配、注加、または任意の他の好適な分配手段を含む、圧力分配によって）を使用して、ライナの口部を通して除去されてもよい。いくつかの実施形態では、特定の分配方法のために構成される分配コネクタは、ライナの内容物の除去に備えて、ライナベースのシステムに添着されてもよい。分配コネクタは、産業毎に変動し得る、エンドユーザによって使用される特定の分配システムと適合性があるように構成されてもよい。例えば、ライナの内容物の分配が所望されると、分配コネクタ３２６は、ライナおよび／またはオーバーパックに結合されてもよい。使用される実施形態に応じて、移送／貯蔵キャップがまた、分配コネクタとしての役割を果たし得、分配コネクタは、移送／貯蔵キャップに固定されてもよく、または移送／貯蔵キャップは、除去されてもよく、分配コネクタは、ライナおよび／またはオーバーパックに固定されてもよい。シールは、分配コネクタ３２６が、ライナおよび／またはオーバーパックに結合されると、コネクタプローブ３２８が、図３Ｄに示されるように、概して、シールの表面の非常に近傍に、または軽くそれに接触して、置かれ得るが、シールを穿通しないように位置決めされてもよい。プローブ３２８先端は、鋭利であってもよく、いくつかの場合には、概して、非常に鋭利であってもよい。例えば、ライナとオーバーパックとの間の環状空間内にガスを導入することによって、圧力分配が開始すると、環状空間内に導入される圧力は、ライナ壁を圧縮し、ライナ内の材料を概して上向きに押しやり、可撓なシールをコネクタプローブ３２８の鋭利先端に向かって押動させ、それによって、シールを穿通し、ライナの内容物が分配されることを可能にし得る。有利なことに、本実施形態は、実際の分配の前に、実質的に、いかなる空気もライナの材料内に導入されないようにするのに役立ち得る。
【００５２】
本開示の１つの特定の実施形態は、図３Ｅに示される。ライナベースのシステムは、オーバーパック３４６、ライナ３４８、位置決めデバイス３７８、キャップ３５４、保持キャップ３５２、分配コネクタ３５６、および吸収剤３７４のうちの一部または全部を含んでもよい。オーバーパック３４６は、本明細書に説明されるものを含む、任意の好適な材料または材料の組み合わせから成ってもよい。例えば、オーバーパックは、金属から成ってもよく、またはＰＥからブロー成形されてもよい。オーバーパック３４６の口部は、ライナが折畳状態にあるとき、ライナ３４８が、オーバーパック３４６の口部を通して挿入されることを可能にするために十分に大きくてもよい。ライナ３４８は、本明細書に説明される任意の好適な材料から成る任意の好適なライナであってもよい。一実施形態では、ライナは、国際ＰＣＴ出願第ＰＣＴ／ＵＳ１１／５５５５８号（以前にその全体が本明細書に組み込まれた）に説明されるように、例えば、ライナが、所定の様式で折畳、膨張、および再折畳することを可能にし得る事前折目を有するライナであってもよい。ライナ３４８は、隔壁シール３６６を含んでもよい。隔壁シールは、シリコーン隔壁を含むが、それらに限定されない、任意の好適な材料から成ってもよい。いくつかの実施形態では、シールはさらに、箔バリア３６８を含んでもよい。箔バリア３６８は、ライナ内の材料の純度および／または無菌状態を維持するように、隔壁を横断する浸透を低下させるのに役立ち得る。キャップ３５４は、充填入口、圧力ポート３６４、および／または通気口を含んでもよく、概して、ライナ３４８をオーバーパック３４６の内側の定位置に保持してもよい。１つ以上の付加的閉鎖具および／またはホルダは、材料をライナに充填および／またはライナから分配するために、キャップ３５４と結合してもよい。例えば、保持キャップ３５２は、キャップ３５４に固定されてもよい。充填および／または分配コネクタ３５６は、いくつかの実施形態では、次いで、キャップ３５４および／または保持キャップ３５２に結合されてもよい。他の実施形態では、キャップ３５４は、保持キャップ３５２を必要としなくてもよく、それ自体が、直接、コネクタ３５６と適合性があってもよい。コネクタ３５６は、プランジャ３６０を含んでもよい。プランジャは、隔壁シール３６６を穿通し得る、穿刺「針」先端付きプローブを含んでもよい。先端が、隔壁シールを穿刺すると、プランジャは、気泡が分配コネクタに流入することを防止するために、「針」先端とともに降下されてもよい。プランジャは、次いで、ライナ内への先端の挿入後の流動を可能にするように、先端区域から抜去されてもよい。
【００５３】
吸収剤、乾燥剤、またはゲッタ３７４が、ライナ３４６とオーバーパック３４８との間の環状空間内に位置決めされてもよい。ゲッタ３７４は、概して、湿気および／または酸素を吸収し、それによって、湿気がライナ内に浸透し、ライナの内容物を汚染することを防止し得る。１つ以上のゲッタおよび／または吸収剤が、使用されてもよい。
【００５４】
ライナベースのシステム３４４はまた、ライナをオーバーパック３４６内に安定化させるのに役立ち得る１つ以上の位置決めデバイス３７８を含んでもよい。位置決めデバイス３７８は、限定されないが、プラスチック、金属、ゴム、木材、または任意の他の好適な材料を含む、任意の好適な材料から成ってもよい。デバイス３７８は、デバイスが、ライナをオーバーパック内に位置決めし、いくつかの場合には、垂直に位置決めし、および／または安定化させるのに役立ち得るように、任意の好適な形状および／または構成をとってもよい。例えば、いくつかの実施形態では、ライナの底部は、丸みを帯びてもよく、またはオーバーパックの底部と概して異なり得る、別の幾何学形状を有してもよい。故に、位置決めデバイスは、例えば、ライナによって占有されない、オーバーパック内の任意の隙間面積を充填する様式において、成形および設置されてもよい。本明細書に開示されるライナベースのシステムの他の実施形態は、図３Ｅに示される実施形態を参照して論じられる特徴のうちの１つ以上を含んでもよい。
【００５５】
別の実施形態では、閉鎖具／コネクタアセンブリは、図４に示されるような、閉鎖具４００、および／または図５に示されるような、分配コネクタ５００を含んでもよい。図４に示される閉鎖具４００は、いくつかの実施形態では、通気口４１２と、リザーバ４１６と、キャップ４２２とを含んでもよい。故に、いくつかの実施形態では、閉鎖具４００は、充填のための充填コネクタ、ならびに貯蔵および／または移送の間に使用され得る閉鎖具またはキャップとして使用されてもよい。閉鎖具４００は、金属、プラスチック、あるいは任意の他の材料または材料の組み合わせ等、任意の好適な材料から成ってもよい。いくつかの実施形態では、閉鎖具４００は、上記に列挙されたもの、または任意の他の好適な材料、または材料の組み合わせ等、滅菌環境において使用するために好適であり得る、材料から成ってもよい。
【００５６】
前述のように、ライナベースのシステムのための典型的使用サイクルは、典型的には、ライナおよび／またはオーバーパックに結合された充填コネクタを使用することによって、ライナを材料で充填すること、閉鎖具と充填コネクタを統合するか、または充填コネクタを除去し、別個の閉鎖具を固定するかのいずれかによって、ライナベースのシステムを貯蔵および／または輸送のための閉鎖具またはキャップで密閉すること、分配のために、固定され充填されたコンテナをエンドユーザに輸送し、それによって、エンドユーザが、いくつかの場合には、分配の前に、充填コネクタおよび／または閉鎖具を除去し、分配コネクタを添着し得ることを含み得る。
【００５７】
前述のように、閉鎖具４００はまた、貯蔵および／または輸送のために有利な特徴を含み得る充填コネクタとして使用されてもよい。いくつかの実施形態では、閉鎖具４００は、ガス、例えば、空気、または窒素（Ｎ２）が、充填工程の間および／または後、逃散することを可能にし得る通気口４１２（例えば、示されるような統合された通気口）を含んでもよい。前述のように、充填されたコンテナ内に捕捉され得るガスは、概して、ヘッドスペースと称され得る。ヘッドスペースは、ガスが、例えば、発泡化、気泡、応力、タンパク質損傷、および／または材料のガス汚染を生じさせ得るため、望ましくない場合があり、これは、システムの内容物の純度を維持することが重要である場合、非常に望ましくない可能性がある。ヘッドスペースの負の影響は、充填されたコンテナが、輸送されるときに悪化し得、輸送の間のコンテナの内容物の移動の結果、ガスをさらに揺り動かし、その結果、ライナの内容物を汚染し得る。故に、ヘッドスペースの除去は、有利または非常に有利であり得る。ヘッドスペースは、ライナが充填されると、ライナとオーバーパックとの間の環状空間内に好適なガスまたは流体を導入することによって、除去されてもよい。環状空間内の増加圧力は、ライナをそれ自体向かって押し、それによって、ライナ内のいかなる過剰ガスも外に押しやり得る。いくつかの実施形態では、ライナ内の過剰ガスは、通気口４１２を通して、逃散し得る。
【００５８】
いくつかの実施形態では、ヘッドスペースが、前述のような通気口を介して除去されると、コンテナの内容物の溢流は、リザーバ４１６内に集まり得る。溢流は、例えば、ライナ内の過剰材料または折目の結果、ライナ内に適合しないことがある、充填されたライナの内容物の一部として説明され得る。代替として、または加えて、溢流は、前述のようにヘッドスペースを除去するための工程の結果として、生じ得る。典型的には、溢流は、溢流材料が使用不可能であるため、望ましくない。しかしながら、いくつかの実施形態および用途では、溢流は、有利なことに、貯蔵および／または輸送の間、システムを密閉するのに役立てるために使用され得る。例えば、ライナの内容物が、接着剤、例えば、特に、例えば紫外線光によって、硬化することを必要とする、反応性接着剤である場合、ヘッドスペース除去工程の結果、リザーバ４１６内に流入する溢流は、硬化され得る。溢流接着剤の硬化は、貯蔵および／または移送のために、ライナの内容物を固定させ得るシールの生成をもたらし得る。そのようなシールが生成されると、いくつかの実施形態では、キャップ４２２は、貯蔵および／または輸送のために、閉鎖具に固定されてもよい。キャップ４２２は、スナップばめ、相補的ネジ山、あるいは任意の他の好適な方法または方法の組み合わせを含む、任意の好適な手段によって、閉鎖具４００に結合してもよい。
【００５９】
ヘッドスペースガスが、通気口４１２を介して除去されると、いくつかの実施形態では、シールが、リザーバ４１６内に生成され、キャップ４２２が、固定され、充填されたコンテナが、エンドユーザに輸送され得る。エンドユーザが、ライナの内容物の一部または全部を分配する準備ができると、閉鎖具４００は、除去され、図５に示されるような、分配コネクタ５００と交換されてもよい。
【００６０】
分配コネクタ５００は、例えば、本明細書に以前に説明されたような圧力分配、圧力支援ポンプ分配、ポンプ分配、逆分配、注入、または任意の他の分配方法を含む、所望の分配方法と併用するために適合性があり得る、任意の好適な分配コネクタ５００であってもよい。例えば、図５に見られ得るように、いくつかの実施形態では、圧力分配のために構成される分配コネクタは、分配のためのコネクタに結合されてもよい。そのような圧力分配コネクタは、前述の実施形態に関して前述されたように、圧力分配を可能にする分配特徴を含んでもよい。いくつかの実施形態では、分配コネクタは、使い捨てであり、１回の使用のために構成されてもよい。しかしながら、他の実施形態では、分配コネクタは、典型的には、反復使用のために構成される。
【００６１】
分配コネクタは、金属、プラスチック、あるいは任意の他の材料または材料の組み合わせ等の任意の好適な材料から成ってもよい。いくつかの実施形態では、分配コネクタは、上記に列挙されたもの、または任意の他の好適な材料、または材料の組み合わせ等、滅菌環境において使用するために好適であり得る材料から成ってもよい。
【００６２】
本開示のライナの実施形態は、いくつかの場合には、約１００ｐｓｉ未満、またはより好ましくは、約５０ｐｓｉ未満の圧力、さらにより好ましくは、約２０ｐｓｉ未満の圧力で分配されてもよい。しかしながら、いくつかの場合には、いくつかの実施形態のライナの内容物は、意図される使用または関与する用途に応じて、望ましくあり得る、有意により低い圧力で分配されてもよい。
【００６３】
付加的実施形態では、コネクタを含む分配アセンブリはまた、流入ガスおよび流出液体を制御するための制御構成要素を含んでもよい。例えば、コントローラは、ライナからの液体の分配を制御するための制御構成要素に動作可能に結合されてもよい。１つ以上の変換器もまた、いくつかの実施形態では、入口および／または出口の圧力を感知するために含まれてもよい。この点において、そのような制御構成要素は、ライナが空に近いときを検出するために利用されてもよい。そのようなライナからの流体の分配を制御し、ライナが空に近いときを決定するための手段は、例えば、２００７年２月６日に発行された米国特許第７，１７２，０９６号「Ｌｉｑｕｉｄ  Ｄｉｓｐｅｎｓｉｎｇ  Ｓｙｓｔｅｍ」および国際出願日２００７年６月１１日のＰＣＴ出願第ＰＣＴ／ＵＳ０７／７０９１１号「Ｌｉｑｕｉｄ  Ｄｉｓｐｅｎｓｉｎｇ  Ｓｙｓｔｅｍｓ  Ｅｎｃｏｍｐａｓｓｉｎｇ  Ｇａｓ  Ｒｅｍｏｖａｌ」（それぞれ、参照することによって全体が本明細書に組み込まれる）、ならびに、国際特許出願第ＰＣＴ／ＵＳ２０１１／０５５５５８号（本明細書に全体が組み込まれる）に説明されている。
【００６４】
図６に示される、付加的または代替実施形態では、空検出メカニズムは、間接圧力分配アセンブリ６０４に動作可能に接続され得るライナおよびオーバーパックシステム６０２を含んでもよい。分配アセンブリ６０４は、圧力変換器またはセンサ６０６と、圧力ソレノイドまたは他の制御弁６０８と、通気口ソレノイドまたは他の制御弁６１０とを含んでもよい。マイクロコントローラは、圧力ソレノイド６０８および／または通気口ソレノイド６１０を制御するために使用されてもよい。出口液体圧力は、圧力変換器６０６によって読み取られ、測定されてもよい。圧力が低過ぎる、すなわち、設定値を下回る場合、圧力ソレノイド６０８は、一定時間（Ｐｏｎ）の間、オンにされ、それによって、より多くの加圧ガスまたは他の物質がオーバーパックとライナとの間の環状空間内に導入されることをもたらし、出口液体圧力を上昇させてもよい。圧力が高過ぎる、すなわち、所定の値を上回る場合、通気口ソレノイド６１０は、一定時間（Ｐｖｅｎｔ）、の間、オンにされ、幾分か、オーバーパックとライナとの間の環状空間内の圧力を解放し、したがって、出口液体圧力を解放する。図７に見られ得るように、ライナの内容物が空に近づくにつれて、液体圧力は、降下する７１０。液体圧力の降下は、より長い期間の間、オンにするように圧力ソレノイドを駆動させる。圧力ソレノイドがオンにされる時間（Ｐｏｎ）の増加は、ライナが空に近づくにつれて、急上昇する７１２。故に、圧力弁がオンである時間量（Ｐｏｎ）は、分配終了点に到達するときを決定するために使用されてもよい。
【００６５】
代替として、または加えて、入口圧力ソレノイドのオン／オフ切替の頻度は、監視されてもよい。前述のように、ライナが空に近づくにつれて、入口圧力は、一定液体出口圧力を維持するために、増加する必要がある。入口圧力ソレノイドは、したがって、ライナが空に近づくにつれて、より高い頻度でオン／オフを切り替え、要求される量の加圧ガスをライナとコンテナとの間の環状空間内にもたらしてもよい。このオン／オフ切替の頻度は、有用な空検出インジケータであり得る。本明細書に開示されるもの等の空検出メカニズムは、時間およびエネルギー、その結果として、費用を節約するのに役立ち得る。
【００６６】
分配が、完了または実質的に完了され、ライナが、空または実質的に空になった後、エンドユーザは、ライナベースのシステムを廃棄し、かつ／または閉鎖具／コネクタアセンブリの一部あるいは全部を含むライナベースのシステムの一部または全部をリサイクルもしくは再使用してもよい。本明細書に説明される分配器をより耐久性のあるようにすることを支援するために、任意のオーバーパック、ライナ（単数または複数）、ハンドル等を含む分配器またはその１つ以上の構成要素が、生分解性材料または生分解性ポリマー（ポリ−３−ヒドロキシ酪酸（ＰＨＢ）、ポリヒドロキシ吉草酸（ＰＨＶ）、およびポリヒドロキシヘキサン酸（ＰＨＨ）のようなポリヒドロキシアルカノエート（ＰＨＡ）；ポリ乳酸（ＰＬＡ）；コハク酸ポリブチレン（ＰＢＳ）；ポリカプロラクトン（ＰＣＬ）；ポリ無水物；ポリビニルアルコール；でんぷん誘導体；酢酸セルロースおよびニトロセルロースならびにそれらの誘導体（セルロイド）のようなセルロースエステル等を含むが、それらに限定されない）から製造されてもよい。同様に、いくつかの実施形態では、産業用途に好適である場合、分配器またはその１つ以上の構成要素は、リサイクルまたは復元され得る材料から製造されてもよく、いくつかの実施形態では、同一のまたは異なるエンドユーザによって、別の工程において使用され、それによって、そのようなエンドユーザが、環境に及ぼす影響を減少させ、またはその全体的排出を低下させることを可能にする。例えば、一実施形態では、分配器またはその１つ以上の構成要素は、焼却され得る材料から製造されてもよく、それによって、そこから発生される熱は、捕捉および組み込まれてもよく、あるいは同一のまたは異なるエンドユーザによって、別の工程において使用され得る。一般に、分配器またはその１つ以上の構成要素は、リサイクルされ得る材料、または再び使用され得る原材料に変換され得る材料から製造されてもよい。
【００６７】
本開示の一実施形態では、貯蔵および分配システム８００は、付加的随意のパッケージング要素８２０を含んでもよく、その中に、ライナおよびオーバーパック８０２が、位置決めされてもよい。パッケージング要素８２０は、いくつかの場合には、比較的に容易に、ライナおよびオーバーパック８０２を貯蔵、運送、および／または搬送するために使用されてもよい。パッケージング要素８２０は、概して、例えば、限定されないが、厚紙のような波形材料から構成された箱であってもよい。しかしながら、他の実施形態では、パッケージング要素８２０は、例えば、紙、木材、金属、ガラス、またはプラスチックを含む、任意の好適な材料または材料の組み合わせから成ってもよい。パッケージング要素８２０は、その中に配置されるライナおよびオーバーパック８０２に支持および／または安定性を提供し得る１つ以上の補強要素８３０を含んでもよい。補強要素８３０は、パッケージング要素８２０内の任意の適切または所望の高さに位置決めされてもよい。例えば、図８に見られ得るように、１つの補強要素８３０が、オーバーパックおよびライナ８０２の本体の上部近傍に提供されてもよい。しかしながら、他の実施形態では、１つ以上の補強要素は、オーバーパックの他の区域、例えば、オーバーパックの底部またはオーバーパックの中央に位置決めされてもよい。なおも別の実施形態では、補強要素は、概して、ライナおよびオーバーパックによって占められていない空間の実質的に全部または一部を充填してもよい。補強要素（単数または複数）８３０は、限定されないが、パッケージング要素に関して上記に列挙された材料等の任意の好適な材料または材料の組み合わせから成ってもよい。いくつかの実施形態では、補強要素（単数または複数）８３０は、パッケージング要素８２０の別の部分と同一の材料から成ってもよいが、同一の材料の使用は、必須ではない。パッケージング要素８２０はまた、パッケージング要素８２０を比較的に容易に移動および／または搬送させ得る、１つ以上のハンドルまたはハンドルスロット／開口部８４０を有してもよい。パッケージング要素８２０は、任意の所望の形状であってもよく、いくつかの場合には、示されるように、略長方形の箱であってもよい。図８に示されるもの等の複数のシステムは、パッケージング要素の長方形箱形状により、貯蔵および／または移送のために、容易かつ便利よく積載され得る。加えて、パッケージング要素はさらに、潜在的に有害なＵＶ光線への暴露のような暴露からその中に配置されるライナおよびオーバーパックを保護し得る。
【００６８】
パッケージング要素８２０を含むいくつかの実施形態では、ライナおよびオーバーパックシステムは、貯蔵ユニット８２０が、ハンドルスロット／開口部と、出縁によって別様に提供される支持とを提供し得るため、ハンドルまたは出縁を含まなくてもよい。故に、ハンドルおよび／または出縁に関連する、ライナおよびオーバーパックと関連付けられたコストは、そのような実施形態では、削減あるいは排除され得る。それでもなお、他の実施形態では、ライナおよびオーバーパックは、パッケージング要素を含む実施形態において、依然として、ハンドルおよび／または出縁を含んでもよい。
【００６９】
限定されないが、ポンプ分配用途等において、分配を支援するために、本開示のライナベースのシステムのいずれも、任意の好適な距離だけライナ内に延在する浸漬管を有する実施形態を含んでもよい。他の実施形態では、本開示のライナベースのシステムは、例えば、いくつかの圧力分配または逆分配用途のための浸漬管を含まなくてもよい。代替実施形態では、本明細書に説明される潜在的に自己支持型のライナの各実施形態は、オーバーパックを伴わずに移送され、ライナの内容物を分配するために、受取場所において、加圧容器内に設置されてもよい。
【００７０】
いくつかの実施形態では、前述のライナベースのシステムはまた、チョークオフを防止または制限するのを支援するための特徴を含んでもよい。概して、チョークオフとは、ライナが、最終的に、その上またはライナの内部構造上に折畳し、液体の実質的な量の上方に配置されるチョーク点を形成するときに生じるものと説明され得る。チョークオフが生じると、ライナ内に配置された液体の完全な利用を阻害し得、これは、例えば、バイオテクノロジーおよび／または医薬品産業において使用される多くの材料が、非常に高価となり得る場合に、有意な問題となる可能性がある。チョークオフを防止し、またはそれに対処する種々の方法は、国際出願日２００８年１月３０日のＰＣＴ出願第ＰＣＴ／ＵＳ０８／５２５０６号「Ｐｒｅｖｅｎｔｉｏｎ  Ｏｆ  Ｌｉｎｅｒ  Ｃｈｏｋｅ−ｏｆｆ  Ｉｎ  Ｌｉｎｅｒ−ｂａｓｅｄ  Ｐｒｅｓｓｕｒｅ  Ｄｉｓｐｅｎｓａｔｉｏｎ  Ｓｙｓｔｅｍ」に説明され、その全体が参照することにより本明細書に組み込まれる。チョークオフを防止し、またはそれに対処する付加的方法は、２０１１年１０月１０日に出願された国際ＰＣＴ出願第ＰＣＴ／ＵＳ１１／５５５５８号「Ｓｕｂｓｔａｎｔｉａｌｌｙ  Ｒｉｇｉｄ  Ｃｏｌｌａｐｓｉｂｌｅ  Ｌｉｎｅｒ，  Ｃｏｎｔａｉｎｅｒ  ａｎｄ／ｏｒ  Ｌｉｎｅｒ  ｆｏｒ  Ｒｅｐｌａｃｉｎｇ  Ｇｌａｓｓ  Ｂｏｔｔｌｅｓ，  ａｎｄ  Ｅｎｈａｎｃｅｄ  Ｆｌｅｘｉｂｌｅ  Ｌｉｎｅｒｓ」に説明され、その全体が参照することにより前述に組み込まれる。
【００７１】
いくつかの実施形態では、コンテナ壁の内側とライナ壁の外側との間の環状空間内への加圧されたガスまたは液体の制御され、かつ可変の導入は、ライナの内容物を混合するために使用されてもよい。例えば、ライナの圧縮および弛緩をもたらす加圧および減圧の制御されたサイクルは、ライナの内容物を混合させ得る。使用時、本実施形態は、インペラまたはパドルの必要性なく、ライナの内容物の滅菌混合を可能にする。ライナの内部への物体の導入が、汚染のリスクを増加させるため、ライナ内にインペラもパドルも導入する必要がないことは、有利なことに、汚染のリスクを最小限にするのに役立ち得る。
【００７２】
いくつかの実施形態では、本明細書で説明される分配器は、分配器またはその１つ以上の構成要素の中に成形される記号および／または文章を含んでもよい。そのような記号および／または文章は、名前、ロゴ、指示、警告等を含んでもよいが、それらに限定されない。そのような成形は、分配器またはその１つ以上の構成要素の製造工程中または後に行われてもよい。一実施形態では、そのような成形は、例えば、分配器またはその１つ以上の構成要素のための金型をエンボス加工することによって、加工工程中に容易に達成されてもよい。成形された記号および／または文章は、例えば、製品を区別するために使用されてもよい。
【００７３】
いくつかの実施形態では、分配器の内容物を外部環境から保護するのに役立てるために、分配器を装飾するため、または分配器内の内容物の指標あるいは識別子として使用するために、または複数の分配器を別様に区別するため等の目的で、１つ以上の色および／または吸収材料が、製造工程中または後に、分配器またはその１つ以上の構成要素に追加されてもよい。色は、例えば、染料、色素、ナノ粒子、または任意の他の好適なメカニズムを使用して追加されてもよい。吸収材料は、紫外光、赤外光、および／または無線周波数信号等を吸収する材料を含んでもよい。
【００７４】
同様に、いくつかの実施形態では、分配器またはその１つ以上の構成要素は、異なるテクスチャまたは仕上げを提供されてもよい。色ならびに成形された記号および／または文章と同様に、異なるテクスチャまたは仕上げは、製品を区別するため、分配器内に提供された内容物の指標を提供するため、または内容物が使用される１つあるいは複数の用途を識別するため等の目的で使用されてもよい。一実施形態では、テクスチャまたは仕上げは、実質的に滑らないテクスチャまたは仕上げあるいは同様のものであるように設計されてもよく、分配器またはその１つ以上の構成要素にそのようなテクスチャまたは仕上げを含み、または追加することにより、パッケージングシステムの把持能力または取扱を向上させるのに役立ち、それにより、分配器の落下のリスクを低減または最小にしてもよい。テクスチャまたは仕上げは、例えば、適切な表面特徴を有する分配器またはその１つ以上の構成要素のための金型を提供することによって、加工工程中に容易に達成されてもよい。他の実施形態では、成形された分配器は、テクスチャまたは仕上げで被覆されてもよい。いくつかの実施形態では、テクスチャまたは仕上げは、実質的に分配器全体、またはその１つ以上の構成要素の実質的に全体に提供されてもよい。しかしながら、他の実施形態では、テクスチャまたは仕上げは、分配器の一部分、またはその１つ以上の構成要素の一部分の上のみに提供されてもよい。
【００７５】
同様に、いくつかの実施形態では、分配器またはその１つ以上の構成要素の外壁および／または内壁は、その上に任意の好適な被覆を提供されてもよい。被覆は、材料適合性を増加させ、透過性を減少させ、強度を増加させ、ピンホール抵抗を増加させ、安定性を増加させ、静電気防止能力を提供し、または別様に静電気を低減する等してもよい。そのような被覆は、ポリマーまたはプラスチック、金属、ガラス、接着剤等の被覆を含むことができ、例えば、ブロー成形で使用されるプリフォームを被覆することによって、製造工程中に塗布されてもよく、または噴射、浸漬、充填等によって、製造後に塗布されてもよい。
【００７６】
いくつかの実施形態では、ライナベースのシステムは、ライナおよび／またはオーバーパックと動作可能にまたは一体的に取着され得る１つ以上のハンドルを含んでもよい。１つ以上のハンドルは、任意の形状またはサイズのものであり得、分配器上の任意の好適な位置に位置してもよい。ハンドルの種類は、上部および／または側面に位置するハンドル、人間工学的ハンドル、取り外し可能または着脱可能であるハンドル、分配器の中に成形されるハンドル、または分配器の加工後に（例えば、スナップばめ、接着剤、リベット打ち、ネジ留め、バイオネット嵌合等によって）提供されるハンドル等のハンドルを含むことができるが、それらに限定されない。異なるハンドルおよび／または取扱オプションを提供することができ、それらは、例えば、分配器の想定される内容物、分配器の用途、分配器のサイズおよび形状、分配器のための想定される分配システム等に依存してもよいが、それらに限定されない。ハンドルは、より容易に、オーバーパックおよび／またはライナを持ち上げ、または輸送するための手段を提供し得る。
【００７７】
本明細書で説明される分配器をより耐久性のあるようにすることを支援するために、任意のオーバーパック、ライナ（単数または複数）、ハンドル等を含む分配器またはその１つ以上の構成要素は、生分解性材料または生分解性ポリマー（ポリ−３−ヒドロキシ酪酸（ＰＨＢ）、ポリヒドロキシ吉草酸（ＰＨＶ）、およびポリヒドロキシヘキサン酸（ＰＨＨ）のようなポリヒドロキシアルカノエート（ＰＨＡ）、ポリ乳酸（ＰＬＡ）、コハク酸ポリブチレン（ＰＢＳ）、ポリカプロラクトン（ＰＣＬ）、ポリ無水物、ポリビニルアルコール、でんぷん誘導体、酢酸セルロースおよびニトロセルロースならびにそれらの誘導体（セルロイド）のようなセルロースエステル等を含むが、それらに限定されない）から製造されてもよい。
【００７８】
いくつかの実施形態では、分配器は、オーバーパックおよびライナ、複数のオーバーパック、または複数のライナ等の２つ以上の層を含んでもよい。さらなる実施形態では、分配器は、少なくとも３つの層を含んでもよく、それらは、その中の内容物の向上した封じ込めを確保すること、構造強度を増加させること、および／または透過性を減少させること等に役立ち得る。層のうちのいずれかは、例えば、本明細書で以前に論議された材料であるが、それらに限定されない、同じまたは異なる材料から作製されてもよい。
【００７９】
いくつかの実施形態では、産業用途に好適である場合、分配器またはその１つ以上の構成要素は、リサイクルまたは復元され得る材料から製造されてもよく、いくつかの実施形態では、同一のまたは異なるエンドユーザによって、別の工程において使用され、それによって、そのようなエンドユーザが、環境に及ぼす影響を減少させ、またはその全体的排出を低下させることを可能にする。例えば、一実施形態では、分配器またはその１つ以上の構成要素は、焼却され得る材料から製造されてもよく、それによって、そこから発生される熱が、捕捉および組み込まれてもよく、あるいは同一のまたは異なるエンドユーザによって、別の工程において使用され得る。一般に、分配器またはその１つ以上の構成要素は、リサイクルされ得る材料、または再び使用され得る原材料に変換され得る、材料から製造されてもよい。
【００８０】
いくつかの実施形態では、分配器またはその１つ以上の構成要素に強度および完全性を追加する構造的特徴が、分配器の中に設計されてもよい。例えば、分配器の基礎（またはいくつかの実施形態では出縁）、上部、および側面は全て、充填、輸送、設置、および使用（例えば、分配）中に増加した振動および外力を被る領域であり得る。したがって、一実施形態では、分配器に強度および完全性を追加することができる、追加の厚さまたは構造物（例えば、橋脚設計）が、分配器の応力を受けた領域を支持するように追加されてもよい。さらに、分配器の中の任意の接続領域もまた、使用中に増加した応力を被る場合がある。したがって、これらのそのような領域のうちのいずれかは、例えば、増加した厚さおよび／または特異的に仕立てられた設計を通して強度を追加する構造的特徴を含んでもよい。さらなる実施形態では、上記の構造のうちのいずれかに増加した強度を追加するために、三角形形状の使用を利用することができるが、他の設計または機械的支持特徴が使用されてもよい。
【００８１】
いくつかの実施形態では、任意のオーバーパックまたはライナ（単数または複数）を含む分配器またはその１つ以上の構成要素は、補強または強度を追加するために、分配器またはその１つ以上の構成要素、あるいはその部分に統合または追加されてもよい補強特徴（例えば、メッシュ、繊維、エポキシ、または樹脂等であるが、それらに限定されない）を含んでもよい。そのような補強は、高圧分配用途、または高粘度内容物あるいは腐食性内容物を分配するための用途を支援してもよい。
【００８２】
いくつかの実施形態では、分配器は、水平面感知特徴またはセンサを含んでもよい。そのような水平面感知特徴またはセンサは、分配器に貯蔵された内容物の水平面を識別、指示、または決定するための視覚的、電子的、超音波的、または他の好適なメカニズムを使用してもよい。例えば、一実施形態では、分配器またはその一部分は、その中に貯蔵された内容物の水平面を視認するために使用され得る、実質的に半透明または透明の材料から作製されてもよい。
【００８３】
さらなる実施形態では、パッケージングシステムから下流工程に送達されている材料の直接測定のために、流動計測技術が、コネクタに統合され、または動作可能に結合されてもよい。送達されている材料の直接測定は、エンドユーザに、工程の反復性または再現性を確保するのに役立ち得るデータを提供することができる。一実施形態では、流量計が、材料流量のアナログまたはデジタル計測値を提供してもよい。流量計またはシステムの他の構成要素は、正確な流量測定を提供するように、材料の特性（粘度および濃度を含むが、それらに限定されない）および他の流量パラメータを考慮することができる。加えて、または代替として、流量計は、貯蔵されて分配器から分配される特定の材料と連動し、それを正確に測定するように構成されることができる。一実施形態では、実質的に一定の出口圧力または流速を維持するように、入口圧力は、循環させられ、または調整されることができる。
【００８４】
本開示の種々の移送および分配システム実施形態は、従来のパッケージングシステムに勝るいくつかの利点を有する。利点の多くは、本願全体を通して記載され、特定の産業、例えば、接着剤産業または食品産業における既存の分配システムとの適合性を可能にし得る、閉鎖具／コネクタと結合された開示されるライナベースのシステムの前述の利点が挙げられるが、それらに限定されない。他の利点も、当業者によって認識され、産業用途毎に変動し得る。
【００８５】
前述の特徴のいくつかの実施形態は、２０１１年１０月１０日に出願された国際ＰＣＴ出願第ＰＣＴ／ＵＳ１１／５５５５８号「Ｓｕｂｓｔａｎｔｉａｌｌｙ  Ｒｉｇｉｄ  Ｃｏｌｌａｐｓｉｂｌｅ  Ｌｉｎｅｒ，  Ｃｏｎｔａｉｎｅｒ  ａｎｄ／ｏｒ  Ｌｉｎｅｒ  ｆｏｒ  Ｒｅｐｌａｃｉｎｇ  Ｇｌａｓｓ  Ｂｏｔｔｌｅｓ，  ａｎｄ  Ｅｎｈａｎｃｅｄ  Ｆｌｅｘｉｂｌｅ  Ｌｉｎｅｒｓ」にさらに詳細に説明され、それは、以前に参照することによって全体が本明細書に組み込まれた。
【００８６】
先述の説明では、本発明の種々の実施形態は、例証および説明の目的で提示されている。それらは、網羅的であることも、本発明を開示された正確な形態に限定することも目的としていない。明確な修正または変化例が、上記の教示を踏まえて可能である。実施形態は、本発明の原理およびその実用的用途の最良の例証を提供するように、かつ当業者が、想定される特定の使用に適しているような種々の修正とともに本発明の種々の実施形態を利用することを可能にするように、選択および説明された。全てのそのような修正および変化例は、それらが公平に、合法に、または公正に享受される広さに従って解釈された時に、添付の特許請求の範囲によって決定されるような本発明の範囲内にある。
【図１】
2015501766.tif 000003
【図１Ｂ】
2015501766.tif 000004
【図２】
2015501766.tif 000005
【図３Ａ】
2015501766.tif 000006
【図３Ｂ】
2015501766.tif 000007
【図３Ｃ】
2015501766.tif 000008
【図３Ｄ】
2015501766.tif 000009
【図３Ｅ】
2015501766.tif 000010
【図４】
2015501766.tif 000011
【図５】
2015501766.tif 000012
【図６】
2015501766.tif 000013
【図７】
2015501766.tif 000014
【図８】
2015501766.tif 000015
【図９】
2015501766.tif 000016
【図１０】
2015501766.tif 000017
【国際調査報告】
2015501766.tif 000018